(57)【要約】生検鉗子装置及び他の道具のための生検ジョー組立体が開示されている。幾つかの実施形態では、ジョー組立体は、それぞれの開位置と閉位置の間で枢動式に可動である第１ジョーと第２ジョーを備えている。１つ又はそれ以上の案内が、ジョーのクランプ力を増強するために一方又は両方のジョーを各個の閉位置に向けて付勢するように構成されている。生検鉗子装置の幾つかの実施形態では、第１ジョー及び第２ジョーは、一方のジョーへの１つ又はそれ以上の生検試料の接着を促すように構成されている。生検鉗子装置から１つ又はそれ以上の生検試料を収集するための接着性部分を備える収集部材も開示されている。【選択図】図１Ｇ
2020508825.tif 000002
【特許請求の範囲】
【請求項１】
生検鉗子装置のためのジョー組立体であって、前記ジョー組立体は、
共通のピボット軸周りに枢動可能な第１ジョー及び第２ジョーであって、当該第１ジョーと当該第２ジョーは、それぞれの開位置と閉位置の間で枢動式に可動であり、当該第１ジョーと当該第２ジョーの各個の開位置と閉位置の間での作動によって１つ又はそれ以上の生検試料を協働的に採取し及び保持するように構成されている、第１ジョー及び第２ジョーと、
前記第１ジョー及び前記第２ジョーを各個の開位置と閉位置の間で作動させるための１つ又はそれ以上の作動部材と、
前記１つ又はそれ以上の作動部材を使用して前記第１ジョーと前記第２ジョーの１つ又はそれ以上が各個の閉位置に向けて作動されるときに、当該１つ又はそれ以上のジョーを各個の閉位置に向けて付勢するように構成されている１つ又はそれ以上の案内と、
を備えている、ジョー組立体。
【請求項２】
請求項１に記載の組立体において、前記１つ又はそれ以上の作動部材は、前記第１ジョー及び前記第２ジョーの前記１つ又はそれ以上の案内に対する並進運動を生じさせるように構成されている、組立体。
【請求項３】
請求項１と請求項２の何れか一項に記載の組立体において、前記１つ又はそれ以上の作動部材は、前記第１ジョー及び前記第２ジョーが各個の閉位置に向けて作動されるときに、前記第１ジョー及び前記第２ジョーの前記１つ又はそれ以上の案内に向かう運動を生じさせるように構成されている、組立体。
【請求項４】
請求項１から請求項３の何れか一項に記載の組立体において、前記１つ又はそれ以上の作動部材は、前記第１ジョーと前記第２ジョーの両方を作動させるように構成されている共通の作動ワイヤを備えている、組立体。
【請求項５】
請求項１から請求項３の何れか一項に記載の組立体において、前記１つ又はそれ以上の作動部材は、前記第１ジョーと前記第２ジョーを作動させるためのそれぞれの作動ワイヤを備えている、組立体。
【請求項６】
請求項５に記載の組立体において、前記作動ワイヤは、前記第１ジョー及び前記第２ジョーの開閉を生じさせるために一斉に作動されるように構成されている、組立体。
【請求項７】
請求項５と請求項６の何れか一項に記載の組立体において、前記作動ワイヤは、前記第１ジョーと前記第２ジョーの各個へ前記共通のピボット軸からのそれぞれのオフセット距離にて接続されている、組立体。
【請求項８】
請求項１から請求項７の何れか一項に記載の組立体において、前記１つ又はそれ以上の案内は、前記第１ジョー及び前記第２ジョーの閉じる間に、前記第１ジョー及び前記第２ジョーの一部分が漸進的に受け入れられる開口を備えている、組立体。
【請求項９】
請求項８に記載の組立体において、前記開口は、前記第１ジョー及び前記第２ジョーの閉じる間に、前記第１ジョー及び前記第２ジョーのそれぞれの半径方向外側面と係合するように構成されている付勢面によって画定されている、組立体。
【請求項１０】
請求項１から請求項９の何れか一項に記載の組立体において、前記１つ又はそれ以上の案内はスリーブを備えている、組立体。
【請求項１１】
請求項１から請求項９の何れか一項に記載の組立体において、前記第１ジョー及び前記第２ジョーは、複数の生検試料を採取の順に保持するように構成されている試料保持体積を協働的に画定する、組立体。
【請求項１２】
請求項１から請求項９の何れか一項に記載の組立体において、
前記第１ジョー及び前記第２ジョーは、前記１つ又はそれ以上の生検試料を保持するように構成されている試料保持体積を協働的に画定するそれぞれの内側面を備えており、
前記第２ジョーの前記内側面は、前記１つ又はそれ以上の生検試料の前記第２ジョーの前記内側面への接着を促進するために、前記１つ又はそれ以上の生検試料と接面するための、前記第１ジョーの前記内側面より広い接触面積を提供している、組立体。
【請求項１３】
請求項１１と請求項１２の何れか一項に記載の組立体において、前記１つ又はそれ以上の案内は、前記第１ジョー及び前記第２ジョーの閉じる間に、前記第１ジョー及び前記第２ジョーの一部分が漸進的に受け入れられるスリーブを備えている、組立体。
【請求項１４】
請求項１３に記載の組立体において、前記第１ジョー及び前記第２ジョーは、前記第１ジョーと前記第２ジョーが閉じられたときに前記試料保持体積の少なくとも大部分が前記スリーブの外に留まるように構成されている、組立体。
【請求項１５】
請求項１から請求項１４の何れか一項に記載の組立体において、前記第１ジョー及び前記第２ジョーは共通のピボット部材へ枢動式に連結されている、組立体。
【請求項１６】
請求項１から請求項１５の何れか一項に記載の組立体において、前記第１ジョー及び前記第２ジョーは実質的に剛性である、組立体。
【請求項１７】
請求項１から請求項９の何れか一項に記載の組立体において、
前記１つ又はそれ以上の案内はスリーブを備えており、
前記第１ジョー及び前記第２ジョーは共通のピボット部材へ枢動式に連結されており、
前記共通のピボット部材の互いに反対側の端は前記スリーブと係合され、
前記共通のピボット部材は、前記第１ジョー及び前記第２ジョーの閉じる間は前記スリーブに対して並進運動可能である、組立体。
【請求項１８】
請求項１７に記載の組立体において、前記スリーブは、前記共通のピボット部材のそれぞれ反対側の端に係合する直径方向に対向するスロットを備えている、組立体。
【請求項１９】
請求項１から請求項１０の何れか一項に記載の組立体において、
前記第１ジョー及び前記第２ジョーは、中心長手方向軸を有する細長い形状を有する試料保持体積を画定し、
前記１つ又はそれ以上の案内は、前記第１ジョーと前記第２ジョーが閉じられたときに前記第１ジョー及び前記第２ジョーによって画定される最大半径方向外側寸法と同じか又はそれより小さい最大半径方向外側寸法を画定している、組立体。
【請求項２０】
請求項１から請求項８の何れか一項に記載の組立体において、
前記１つ又はそれ以上の案内は、中心軸を有するスリーブを備えており、
前記第１ジョー及び前記第２ジョーは、それぞれ、半径方向外側面と、前記半径方向外側面の、前記スリーブの前記中心軸に関して異なる半径方向外側寸法を有する２つの領域の間を延びている移行面部分と、を備えており、
前記スリーブは、前記第１ジョーと前記第２ジョーの閉じる間に前記第１ジョー及び前記第２ジョーの前記移行面部分と係合するように構成されている１つ又はそれ以上の付勢面を備えている、組立体。
【請求項２１】
請求項１から請求項８の何れか一項に記載の組立体において、
前記１つ又はそれ以上の案内は、中心軸を有するスリーブを備えており、
前記第１ジョー及び前記第２ジョーは、それぞれ、半径方向外側面と、前記半径方向外側面から前記スリーブの前記中心軸に関して半径方向内方に延びている移行面部分と、を備えており、
前記スリーブは、前記第１ジョーと前記第２ジョーの閉じる間に前記第１ジョー及び前記第２ジョーの前記移行面部分と係合するように構成されている１つ又はそれ以上の付勢面を備えている、組立体。
【請求項２２】
請求項２０と請求項２１の何れか一項に記載の組立体において、前記移行面部分は前記スリーブの前記中心軸に実質的に横断方向である、組立体。
【請求項２３】
請求項２０と請求項２１の何れか一項に記載の組立体において、前記移行面部分は前記スリーブの前記中心軸に実質的に斜めである、組立体。
【請求項２４】
請求項１から請求項１６及び請求項１９から請求項２３の何れか一項に記載の組立体において、前記共通のピボット軸は前記１つ又はそれ以上の案内に対して可変位置を有している、組立体。
【請求項２５】
請求項１から請求項１６及び請求項１９から請求項２４の何れか一項に記載の組立体において、前記第１ジョーは、前記第１ジョー及び前記第２ジョーの枢動運動中に前記第２ジョーの第２揺動面と接面するための第１揺動面を有している、組立体。
【請求項２６】
請求項２５に記載の組立体において、前記共通のピボット軸は、前記第１揺動面と前記第２揺動面の間の界面に配置されている、組立体。
【請求項２７】
請求項１から請求項１６及び請求項１９から請求項２６の何れか一項に記載の組立体において、前記第１ジョーと前記第２ジョーはそれぞれの平行する案内ピンへ滑り係合される、組立体。
【請求項２８】
請求項２７に記載の組立体において、前記案内ピンは前記１つ又はそれ以上の案内へ固定されている、組立体。
【請求項２９】
請求項１から請求項１６及び請求項１９から請求項２６の何れか一項に記載の組立体において、前記第１ジョー及び前記第２ジョーは共通の案内ピンへ滑り係合される、組立体。
【請求項３０】
請求項２９に記載の組立体において、前記共通の案内ピンは矩形の横断面輪郭を有している、組立体。
【請求項３１】
請求項２９と請求項３０の何れか一項に記載の組立体において、前記共通の案内ピンの長手方向軸は前記共通のピボット軸に横断方向である、組立体。
【請求項３２】
請求項１に記載の組立体において、
前記１つ又はそれ以上の案内は、中心軸を有するスリーブを備えており、
前記第１ジョー及び前記第２ジョーは、共通の案内ピンへ滑り係合され、
前記共通の案内ピンは矩形の横断面輪郭を有しており、
前記横断面輪郭の前記スリーブの前記中心軸に沿った寸法は、前記横断面輪郭の前記スリーブの前記中心軸に横断方向の寸法より大きい、組立体。
【請求項３３】
請求項２９から請求項３２の何れか一項に記載の組立体において、前記共通の案内ピンは前記１つ又はそれ以上の案内へ固定されている、組立体。
【請求項３４】
請求項１から請求項９の何れか一項に記載の組立体において、
前記１つ又はそれ以上の案内は、中心軸を有するスリーブを備えており、
前記組立体は、前記第１ジョー及び前記第２ジョーの前記運動を案内するための案内インサートを備え、前記案内インサートは前記スリーブの内部に配置されていて、前記案内インサートは、１つ又はそれ以上の対応するスリーブ機構に係合するための及び前記案内インサートを前記スリーブの内部に保持するための１つ又はそれ以上の弾性機構を備えており、前記１つ又はそれ以上の弾性機構は、前記スリーブの前記中心軸に関して半径方向内方の方向に弾性的に可動である、組立体。
【請求項３５】
請求項３４に記載の組立体において、前記１つ又はそれ以上のスリーブ機構は、前記案内インサートの前記対応する１つ又はそれ以上の弾性機構を受け入れるための、前記スリーブに形成されたそれぞれの受け器を備えており、前記案内インサートの前記１つ又はそれ以上の弾性機構は、半径方向外方に、前記対応する１つ又はそれ以上の受け器の中へ延びる、組立体。
【請求項３６】
請求項３５に記載の組立体において、前記案内インサートは、前記１つ又はそれ以上の弾性機構の弾性的半径方向内方運動を促し、それにより組み立て時の前記案内インサートの前記スリーブ内への挿入を容易にするために、１つ又はそれ以上のカットアウトを備えている、組立体。
【請求項３７】
請求項３４から請求項３６の何れか一項に記載の組立体において、前記案内インサートは、前記第１ジョーと前記第２ジョーの１つ又はそれ以上の開き運動を制限するための１つ又はそれ以上のストッパを備えている、組立体。
【請求項３８】
請求項３４から請求項３７の何れか一項に記載の組立体において、前記案内インサートは、前記第１ジョー及び前記第２ジョーによって協働的に画定される試料保持体積の近位端を画定する面を備えている、組立体。
【請求項３９】
内視鏡手術道具のためのジョー組立体であって、前記組立体は、
共通のピボット軸周りに枢動可能な第１ジョー及び第２ジョーであって、それぞれの開位置と閉位置の間で枢動式に可動である第１ジョー及び第２ジョーと、
前記第１ジョー及び前記第２ジョーを各個の開位置と閉位置の間で作動させるための１つ又はそれ以上の作動部材と、
前記１つ又はそれ以上の作動部材を使用して、前記第１ジョーと前記第２ジョーの１つ又はそれ以上が各個の閉位置に向けて作動されるときに、当該１つ又はそれ以上のジョーを各個の閉位置に向けて付勢するように構成されている１つ又はそれ以上の案内と、
を備えている、組立体。
【請求項４０】
請求項３９に記載の組立体において、前記１つ又はそれ以上の作動部材は、前記第１ジョー及び前記第２ジョーの前記１つ又はそれ以上の案内に対する並進運動を生じさせるように構成されている、組立体。
【請求項４１】
請求項３９と請求項４０の何れか一項に記載の組立体において、前記１つ又はそれ以上の作動部材は、前記第１ジョー及び前記第２ジョーが各個の閉位置に向けて作動されるときに、前記第１ジョー及び前記第２ジョーの前記１つ又はそれ以上の案内に向かう運動を生じさせるように構成されている、組立体。
【請求項４２】
請求項３９から請求項４１の何れか一項に記載の組立体において、前記１つ又はそれ以上の作動部材は、前記第１ジョーと前記第２ジョーの両方を作動させるように構成されている共通の作動ワイヤを備えている、組立体。
【請求項４３】
請求項３９から請求項４１の何れか一項に記載の組立体において、前記１つ又はそれ以上の作動部材は、前記第１ジョーと前記第２ジョーを作動させるためのそれぞれの作動ワイヤを備えている、組立体。
【請求項４４】
請求項４３に記載の組立体において、前記作動ワイヤは、前記第１ジョー及び前記第２ジョーの開閉を生じさせるために一斉に作動されるように構成されている、組立体。
【請求項４５】
請求項４３と請求項４４の何れか一項に記載の組立体において、前記作動ワイヤは、前記第１ジョーと前記第２ジョーの各個へ前記共通のピボット軸からのそれぞれのオフセット距離にて接続されている、組立体。
【請求項４６】
請求項３９から請求項４５の何れか一項に記載の組立体において、前記１つ又はそれ以上の案内は、前記第１ジョー及び前記第２ジョーの閉じる間に、前記第１ジョー及び前記第２ジョーの一部分が漸進的に受け入れられる開口を備えている、組立体。
【請求項４７】
請求項４６に記載の組立体において、前記開口は、前記第１ジョー及び前記第２ジョーの閉じる間に、前記第１ジョー及び前記第２ジョーのそれぞれの半径方向外側面と係合するように構成されている付勢面によって画定されている、組立体。
【請求項４８】
請求項３９から請求項４７の何れか一項に記載の組立体において、前記１つ又はそれ以上の案内はスリーブを備えている、組立体。
【請求項４９】
請求項３９から請求項４８の何れか一項に記載の組立体において、前記第１ジョー及び前記第２ジョーは共通のピボット部材へ枢動可能に連結されている、組立体。
【請求項５０】
請求項３９から請求項４９の何れか一項に記載の組立体において、前記第１ジョー及び前記第２ジョーは実質的に剛性である、組立体。
【請求項５１】
請求項３９から請求項４７の何れか一項に記載の組立体において、
前記１つ又はそれ以上の案内はスリーブを備えており、
前記第１ジョー及び前記第２ジョーは共通のピボット部材へ枢動式に連結されており、
前記共通のピボット部材の互いに反対側の端はスリーブと係合され、
前記共通のピボット部材は、前記第１ジョー及び前記第２ジョーの閉じる間は前記スリーブに対して並進運動可能である、組立体。
【請求項５２】
請求項５１に記載の組立体において、前記スリーブは、前記共通のピボット部材のそれぞれ反対側の端に係合する直径方向に対向するスロットを備えている、組立体。
【請求項５３】
請求項３９から請求項４６の何れか一項に記載の組立体において、
前記１つ又はそれ以上の案内は、中心軸を有するスリーブを備えており、
前記第１ジョー及び前記第２ジョーは、それぞれ、半径方向外側面と、前記半径方向外側面の、前記スリーブの前記中心軸に関して異なる半径方向外側寸法を有する２つの領域の間を延びている移行面部分と、を備えており、
前記スリーブは、前記第１ジョーと前記第２ジョーの閉じる間に前記第１ジョー及び前記第２ジョーの前記移行面部分と係合するように構成されている１つ又はそれ以上の付勢面を備えている、組立体。
【請求項５４】
請求項３９から請求項４６の何れか一項に記載の組立体において、
前記１つ又はそれ以上の案内は、中心軸を有するスリーブを備えており、
前記第１ジョー及び前記第２ジョーは、それぞれ、半径方向外側面と、前記半径方向外側面から前記スリーブの前記中心軸に関して半径方向内方に延びている移行面部分と、を備えており、
前記スリーブは、前記第１ジョーと前記第２ジョーの閉じる間に前記第１ジョー及び前記第２ジョーの前記移行面部分と係合するように構成されている１つ又はそれ以上の付勢面を備えている、組立体。
【請求項５５】
請求項５３と請求項５４の何れか一項に記載の組立体において、前記移行面部分は前記スリーブの前記中心軸に実質的に横断方向である、組立体。
【請求項５６】
請求項５３と請求項５４の何れか一項に記載の組立体において、前記移行面部分は前記スリーブの前記中心軸に実質的に斜めである、組立体。
【請求項５７】
請求項３９から請求項５０及び請求項５３から請求項５６の何れか一項に記載の組立体において、前記共通のピボット軸は前記１つ又はそれ以上の案内に対して可変位置を有している、組立体。
【請求項５８】
請求項３９から請求項５０及び請求項５３から請求項５７の何れか一項に記載の組立体において、前記第１ジョーは、前記第１ジョー及び前記第２ジョーの枢動運動中に前記第２ジョーの第２揺動面と接面するための第１揺動面を有している、組立体。
【請求項５９】
請求項５８に記載の組立体において、前記共通のピボット軸は、前記第１揺動面と前記第２揺動面の間の界面に配置されている、組立体。
【請求項６０】
請求項３９から請求項５０及び請求項５３から請求項５９の何れか一項に記載の組立体において、前記第１ジョーと前記第２ジョーはそれぞれの平行する案内ピンへ滑り係合される、組立体。
【請求項６１】
請求項６０に記載の組立体において、前記案内ピンは前記１つ又はそれ以上の案内へ固定されている、組立体。
【請求項６２】
請求項３９から請求項５０及び請求項５３から請求項５９の何れか一項に記載の組立体において、前記第１ジョー及び前記第２ジョーは共通の案内ピンへ滑り係合される、組立体。
【請求項６３】
請求項６２に記載の組立体において、前記共通の案内ピンは矩形の横断面輪郭を有している、組立体。
【請求項６４】
請求項６２と請求項６３の何れか一項に記載の組立体において、前記共通の案内ピンの長手方向軸は前記共通のピボット軸に横断方向である、組立体。
【請求項６５】
請求項３９に記載の組立体において、
前記１つ又はそれ以上の案内は、中心軸を有するスリーブを備えており、
前記第１ジョー及び前記第２ジョーは、共通の案内ピンへ滑り係合され、
前記共通の案内ピンは矩形の横断面輪郭を有していて、前記横断面輪郭の前記スリーブの前記中心軸に沿った寸法は、前記横断面輪郭の前記スリーブの前記中心軸に横断方向の寸法より大きい、組立体。
【請求項６６】
請求項６２から請求項６５の何れか一項に記載の組立体において、前記共通の案内ピンは前記１つ又はそれ以上の案内へ固定されている、組立体。
【請求項６７】
請求項３９から請求項４７の何れか一項に記載の組立体において、
前記１つ又はそれ以上の案内は、中心軸を有するスリーブを備えており、
前記組立体は、前記第１ジョー及び前記第２ジョーの前記運動を案内するための案内インサートを備え、前記案内インサートは前記スリーブの内部に配置されていて、前記案内インサートは、１つ又はそれ以上の対応するスリーブ機構に係合するための及び前記案内インサートを前記スリーブの内部に保持するための１つ又はそれ以上の弾性機構を備えており、前記１つ又はそれ以上の弾性機構は、前記スリーブの前記中心軸に関して半径方向内方の方向に弾性的に可動である、組立体。
【請求項６８】
請求項６７に記載の組立体において、前記１つ又はそれ以上のスリーブ機構は、前記案内インサートの前記対応する１つ又はそれ以上の弾性機構を受け入れるための、前記スリーブに形成されたそれぞれの受け器を備えており、前記案内インサートの前記１つ又はそれ以上の弾性機構は、半径方向外方に、前記対応する１つ又はそれ以上の受け器の中へ延びる、組立体。
【請求項６９】
請求項６８に記載の組立体において、前記案内インサートは、前記１つ又はそれ以上の弾性機構の弾性的半径方向内方運動を促し、それにより組み立て時の前記案内インサートの前記スリーブ内への挿入を容易にするために、１つ又はそれ以上のカットアウトを備えている、組立体。
【請求項７０】
請求項６８から請求項６９の何れか一項に記載の組立体において、前記案内インサートは、前記第１ジョーと前記第２ジョーの１つ又はそれ以上の開き運動を制限するための１つ又はそれ以上のストッパを備えている、組立体。
【請求項７１】
請求項３９から請求項７０の何れか一項に記載の組立体において、前記第１ジョー及び前記第２ジョーは、それぞれ、シザーブレードを備えている、組立体。
【請求項７２】
生検鉗子装置のためのジョー組立体であって、前記組立体は、
第１及び第２の実質的に剛性なジョーであって、それぞれの開位置と閉位置の間で枢動式に可動であり、当該第１ジョーと当該第２ジョーの各個の開位置と閉位置の間での作動によって１つ又はそれ以上の生検試料を協働的に採取し及び保持するように構成されている第１ジョー及び第２ジョーを備えており、前記第１ジョー及び前記第２ジョーは、前記１つ又はそれ以上の生検試料を保持するように構成されている試料保持体積を協働的に画定するそれぞれの内側面を備え、前記第２ジョーの前記内側面は、前記１つ又はそれ以上の生検試料の前記第２ジョーの前記内側面への接着を促進するために、前記１つ又はそれ以上の生検試料と接面するための、前記第１ジョーの前記内側面より広い接触面積を提供している、組立体。
【請求項７３】
請求項７２に記載の組立体において、前記試料保持体積は複数の生検試料を保持するように構成されている、組立体。
【請求項７４】
請求項７２と請求項７３の何れか一項に記載の組立体において、前記試料保持体積は採取の順での生検試料の列を収容するように構成されている、組立体。
【請求項７５】
請求項７２から請求項７４の何れか一項に記載の組立体において、前記試料保持体積は採取の向きでの生検試料の列を収容するように構成されている、組立体。
【請求項７６】
請求項７２から請求項７５の何れか一項に記載の組立体において、前記試料保持体積は５つ又はそれ以上の生検試料を保持するように構成されている、組立体。
【請求項７７】
請求項７２から請求項７６の何れか一項に記載の組立体において、前記試料保持体積は、中心長手方向軸を有する細長い形状を有している、組立体。
【請求項７８】
請求項７７に記載の組立体において、前記第１ジョーと前記第２ジョーの間の接触界面は、前記中心長手方向軸に交わり前記中心長手方向軸に平行である平面内に全体が位置している、組立体。
【請求項７９】
請求項７７と請求項７８の何れか一項に記載の組立体において、前記第２ジョーの面は、前記第２ジョーがその閉位置にあるときに、前記中心長手方向軸に交わり前記中心長手方向軸に平行である平面内に実質的に全体が位置している、組立体。
【請求項８０】
請求項７９に記載の組立体において、前記第１ジョーの面の一部分は、前記第１ジョーがその閉位置にあるときに、当該平面からオフセットされている、組立体。
【請求項８１】
請求項７２から請求項８０の何れか一項に記載の組立体において、
前記第１ジョーは、前記第１ジョーの前記内側面に画定されている窓を備えており、
前記第２ジョーは、前記第２ジョーの前記内側面に画定される窓が無い、組立体。
【請求項８２】
請求項７２から請求項８１の何れか一項に記載の組立体において、前記第１ジョーの開窓は前記第２ジョーの開窓とは異なっている、組立体。
【請求項８３】
請求項７２から請求項８２の何れか一項に記載の組立体において、前記第１ジョー及び前記第２ジョーは共通のピボット軸周りに枢動可能である、組立体。
【請求項８４】
請求項７２から請求項８３の何れか一項に記載の組立体であって、前記第１ジョーと前記第２ジョーの前記１つ又はそれ以上が各個の閉位置に向けて作動されるときに、当該１つ又はそれ以上のジョーを各個の閉位置に向けて付勢するように構成されている１つ又はそれ以上の案内、を備えている組立体。
【請求項８５】
１つ又はそれ以上の生検試料を採取するためのキットであって、前記キットは、
１つ又はそれ以上の生検試料を協働的に採取し及び保持するように構成されている第１ジョー及び第２ジョー、を備える生検鉗子装置と、
収集部材であって、前記生検鉗子装置によって保持されている前記１つ又はそれ以上の生検試料に接触し及び接着するように、及び当該収集部材と前記生検鉗子装置の互いからの退避に際して前記１つ又はそれ以上の生検試料を前記生検鉗子装置から収集するように、構成されている接着性部分、を備える収集部材と、
を備えている、キット。
【請求項８６】
請求項８５に記載のキットにおいて、前記生検鉗子装置は、前記１つ又はそれ以上の生検試料全てを、前記第１ジョーと前記第２ジョーのうち一方のみに保持するように構成されている、キット。
【請求項８７】
請求項８５と請求項８６の何れか一項に記載のキットにおいて、前記接着性部分は、排他的に、前記収集部材の一方の面に配置されている、キット。
【請求項８８】
請求項８５から請求項８７の何れか一項に記載のキットにおいて、前記接着性部分は化学的結合剤を備えていている、キット。
【請求項８９】
請求項８８に記載のキットにおいて、前記化学的結合剤はエポキシを備えている、キット。
【請求項９０】
請求項８８に記載のキットにおいて、前記化学的結合剤はグルーを備えている、キット。
【請求項９１】
請求項８５から請求項９０の何れか一項に記載のキットにおいて、前記接着性部分は機械的結合剤を備えている、キット。
【請求項９２】
請求項９１に記載のキットにおいて、前記機械的結合剤は表面テクスチャを備えている、キット。
【請求項９３】
請求項９１に記載のキットにおいて、前記機械的結合剤は試料接着機構のアレイを備えている、キット。
【請求項９４】
請求項８５から請求項８７の何れか一項に記載のキットにおいて、前記接着性部分は、前記１つ又はそれ以上の生検試料の前記収集部材への静電結合を生じさせるように構成されている、キット。
【請求項９５】
請求項８５から請求項８７の何れか一項に記載のキットにおいて、前記接着性部分は、前記１つ又はそれ以上の生検試料の前記収集部材への熱的結合を生じさせるように構成されている、キット。
【請求項９６】
請求項８５から請求項８７の何れか一項に記載のキットにおいて、前記接着性部分は、前記１つ又はそれ以上の生検試料の前記収集部材への凍結結合を生じさせるように構成されている、キット。
【請求項９７】
請求項８５から請求項８７の何れか一項に記載のキットにおいて、前記接着性部分は、前記１つ又はそれ以上の生検試料の前記収集部材への乾燥結合を生じさせるように構成されている、キット。
【請求項９８】
請求項８５から請求項８７の何れか一項に記載のキットにおいて、前記接着性部分は、真空源と連通している１つ又はそれ以上の真空ポートを備えている、キット。
【請求項９９】
請求項８５から請求項９８の何れか一項に記載のキットにおいて、前記収集部材は、前記第１ジョーと前記第２ジョーの間に受け入れられるように構成されている、キット。
【請求項１００】
請求項８５から請求項９９の何れか一項に記載のキットにおいて、前記収集部材は、前記１つ又はそれ以上の生検試料の前記収集中に前記生検鉗子装置の位置を拘束するための案内を備えている、キット。
【請求項１０１】
請求項１００に記載のキットにおいて、前記案内は、前記第１ジョー又は前記第２ジョーを通して受け入れるための開口部を画定しており、前記開口部は、前記生検鉗子装置の向きを拘束するために、通して受け入れられる前記第１ジョー又は前記第２ジョーの横断面輪郭の少なくとも大部分に一致する形状を有している、キット。
【請求項１０２】
請求項１０１に記載のキットにおいて、前記収集部材は管状構成を有しており、前記案内によって画定されている前記開口部は、前記１つ又はそれ以上の生検試料の前記収集時に前記第１ジョー又は前記第２ジョーが受け入れられる前記管状の収集部材のルーメンへの開口部である、キット。
【請求項１０３】
請求項１０２に記載のキットにおいて、前記接着性部分は前記管状の収集部材の外壁上に配置されている、キット。
【請求項１０４】
請求項８５から請求項１０３の何れか一項に記載のキットにおいて、前記収集部材は、複数の前記１つ又はそれ以上の生検試料の採取の順を指示するラベルを備えている、キット。
【請求項１０５】
請求項８５から請求項１０３の何れか一項に記載のキットにおいて、
前記生検鉗子装置は、前記第１ジョー及び前記第２ジョーの閉じる間に、前記第１ジョー及び前記第２ジョーの一部分が漸進的に受け入れられるスリーブであって、前記第１ジョー及び前記第２ジョーが各個の閉位置に向けて作動されるときに、当該１つ又はそれ以上のジョーを各個の閉位置に向けて付勢するスリーブ、を備えており、
前記第１ジョー及び前記第２ジョーは、複数の前記１つ又はそれ以上の生検試料を採取の順に保持するように構成されている試料保持体積を協働的に画定し、
前記第１ジョー及び前記第２ジョーが閉じられたときに前記試料保持体積の少なくとも大部分が前記スリーブの外に留まる、キット。
【請求項１０６】
生検鉗子装置によって保持されている１つ又はそれ以上の生検試料を収集するための収集部材であって、前記収集部材は、
前記生検鉗子装置によって保持されている前記１つ又はそれ以上の生検試料に接触し及び接着するように、及び前記収集部材と前記生検鉗子装置の互いからの退避に際して前記１つ又はそれ以上の生検試料を前記生検鉗子装置から収集するように、構成されている接着性部分と、
前記１つ又はそれ以上の生検試料の前記収集中に前記接着性部分に対する前記生検鉗子装置の配置を拘束するための案内と、
を備えている、収集部材。
【請求項１０７】
請求項１０６に記載の収集部材において、前記接着性部分は、排他的に、前記収集部材の一方の面に配置されている、収集部材。
【請求項１０８】
請求項１０６から請求項１０７の何れか一項に記載の収集部材において、前記接着性部分は化学的結合剤を備えている、収集部材。
【請求項１０９】
請求項１０６から請求項１０８の何れか一項に記載の収集部材において、前記接着性部分は機械的結合剤を備えている、収集部材。
【請求項１１０】
請求項１０６から請求項１０９の何れか一項に記載の収集部材において、前記案内は、一方の前記ジョーを通して受け入れるための開口部を画定している、収集部材。
【請求項１１１】
請求項１１０に記載の収集部材において、前記開口部は、前記生検鉗子装置の向きを拘束するために、通して受け入れられる前記一方のジョーの横断面輪郭の少なくとも大部分に実質的に一致する形状を有している、収集部材。
【請求項１１２】
請求項１１１に記載の収集部材において、前記収集部材は管状構成を有しており、前記案内によって画定されている前記開口部は、前記１つ又はそれ以上の生検試料の前記収集時に前記一方のジョーが受け入れられる前記管状の収集部材のルーメンへの開口部である、収集部材。
【請求項１１３】
請求項１１２に記載の収集部材において、前記接着性部分は前記管状の収集部材の外壁上に配置されている、収集部材。
【請求項１１４】
請求項１０６から請求項１１３の何れか一項に記載の収集部材において、前記収集部材は、複数の前記１つ又はそれ以上の生検試料の採取の順を指示しているラベルを備えている、収集部材。
【請求項１１５】
請求項１０６から請求項１１４の何れか一項に記載の収集部材において、前記収集部材は前記第１ジョーと前記第２ジョーの間に受け入れられるように構成されている、収集部材。
【請求項１１６】
１つ又はそれ以上の生検試料を協働的に採取し及び保持するように構成されている第１ジョー及び第２ジョーを備える生検鉗子装置から前記１つ又はそれ以上の生検試料を収集するための方法であって、前記方法は、
収集部材の接着性部分を前記生検鉗子装置によって保持されている前記１つ又はそれ以上の生検試料と接触させる段階と、
前記１つ又はそれ以上の生検試料を前記接着性部分へ接着させる段階と、
前記生検鉗子装置から前記収集部材の前記接着性部分へ接着させた前記１つ又はそれ以上の生検試料を収集する段階と、
を備えている、方法。
【請求項１１７】
請求項１１６に記載の方法であって、前記１つ又はそれ以上の生検試料を前記収集部材へ接着させるために前記第１ジョーと前記第２ジョーの間に前記収集部材をクランプする段階、を備えている方法。
【請求項１１８】
請求項１１７に記載の方法であって、前記収集部材をクランプ解除する段階と、次いで前記収集部材と前記生検鉗子装置を互いから退避させる段階と、を備えている方法。
【請求項１１９】
請求項１１６から請求項１１８の何れか一項に記載の方法において、前記１つ又はそれ以上の生検試料を前記収集部材へ接着させる段階は、前記１つ又はそれ以上の生検試料を前記収集部材へ化学的に結合させる段階を備えている、方法。
【請求項１２０】
請求項１１６から請求項１１９の何れか一項に記載の方法において、前記１つ又はそれ以上の生検試料を前記収集部材へ接着させる段階は、前記１つ又はそれ以上の生検試料を前記収集部材へ機械的に結合させる段階を備えている、方法。
【請求項１２１】
請求項１１６から請求項１１８の何れか一項に記載の方法において、前記１つ又はそれ以上の生検試料を前記収集部材へ接着させる段階は、前記１つ又はそれ以上の生検試料を前記収集部材へ静電的に結合させる段階を備えている、方法。
【請求項１２２】
請求項１１６から請求項１１８の何れか一項に記載の方法において、前記１つ又はそれ以上の生検試料を前記収集部材へ接着させる段階は、前記１つ又はそれ以上の生検試料を前記収集部材へ凝固を使用して結合させる段階を備えている、方法。
【請求項１２３】
請求項１１６から請求項１１８の何れか一項に記載の方法において、前記１つ又はそれ以上の生検試料を前記収集部材へ接着させる段階は、前記１つ又はそれ以上の生検試料を前記収集部材へ真空源を使用して結合させる段階を備えている、方法。
【請求項１２４】
請求項１１６から請求項１１８の何れか一項に記載の方法において、前記１つ又はそれ以上の生検試料を前記収集部材へ接着させる段階は、前記１つ又はそれ以上の生検試料を前記収集部材へエポキシを使用して結合させる段階を備えている、方法。
【請求項１２５】
請求項１１６から請求項１２４の何れか一項に記載の方法において、前記１つ又はそれ以上の生検試料を収集する段階は、前記生検鉗子装置の前記第１ジョーと前記第２ジョーを開いた後に前記収集部材と前記生検鉗子装置を互いから退避させる段階を備えている、方法。
【発明の詳細な説明】
【技術分野】
【０００１】
[0001]（関連出願の相互参照及び優先権の主張）
本願は、２０１７年２月２２日出願の米国仮特許出願第６２／４６２，０２１号及び２０１７年８月２８日出願の米国仮特許出願第６２／５５０，８６０号に対する優先権を主張し、それら仮特許出願の内容全体をこれにより参考文献として援用する。
【０００２】
[0002]開示は、概括的には医療器具に関し、より詳しくは手術道具のためのジョー組立体及び生検試料収集部材に関する。
【背景技術】
【０００３】
[0003]患者体内から生検試料を採取するための装置は、内視鏡と共に使用されるのが一般的である。その様な装置の一例が内視鏡の作業チャネルの中へ挿入できる生検鉗子である。その様な鉗子の使用は、医師が、内視鏡の先端を患者の体内の所望場所に位置付け、内視鏡の作業チャネルの中の生検鉗子を内視鏡の先端から外へ突き出るまで前進させ、生検鉗子のジョーを開き、ジョーを前進させて組織に押し当てたら、次いでジョーを閉じて組織から生検試料を引き離す又は切り離す、という段階を含むのが典型的である。生検鉗子は、次いで、内視鏡の作業チャネルから引き出されることによって閉じたまま内視鏡から回収され、生検試料は現場固定のためにジョーから取り出される。生検試料は、その後、更なる処理及び組織病理学的評価のために送られる。
【０００４】
[0004]処置中に１つより多い生検試料を得ることが所望される場合も多い。例えば、過敏性腸疾患（ＩＢＤ）の患者の場合には、最新技術は最低でも３２個の大腸の生検材料が取られることを要求する。これらの事例では、各生検試料を個別に採取するために生検鉗子が内視鏡の作業チャネル経由で患者の中へ挿入されては引き出されることが繰り返されることから、処置は時間を食うものとなってしまう。また、鉗子の抜去及び再挿入の間中、内視鏡の先端を一定した位置に維持することは、多くの場合、単調でしかも難しい仕事である。したがって、どの区域が生検済みでどの区域がまだかについて経過を追う臨床家の能力が衰えかねない。患者から多数の生検試料を採取することは、生検試料の場所及び／又は採取シーケンスが追跡されることを要する。ゆえに、生検試料の採取、処理、及び／又は検査に携わる医師及び／又は他の職員は生検試料の混同を避けるように注意深くなくてはならない。
【０００５】
[0005]改善が望ましい。
【先行技術文献】
【特許文献】
【０００６】
【特許文献１】米国仮特許出願第６２／４６２，０２１号
【特許文献２】米国仮特許出願第６２／５５０，８６０号
【特許文献３】米国特許第６，３０９，４０４号
【発明の概要】
【０００７】
[0006]１つの態様では、開示は、生検鉗子装置のためのジョー組立体を記載している。組立体は、
共通のピボット軸周りに枢動可能な第１ジョー及び第２ジョーであって、当該第１ジョーと当該第２ジョーは、それぞれの開位置と閉位置の間で枢動式に可動であり、当該第１ジョーと当該第２ジョーの各個の開位置と閉位置の間での作動によって１つ又はそれ以上の生検試料を協働的に採取し及び保持するように構成されている、第１ジョー及び第２ジョーと、
第１ジョー及び第２ジョーを各個の開位置と閉位置の間で作動させるための１つ又はそれ以上の作動部材と、
１つ又はそれ以上の作動部材を使用して第１ジョーと第２ジョーの１つ又はそれ以上が各個の閉位置に向けて作動されるときに、当該１つ又はそれ以上のジョーを各個の閉位置に向けて付勢するように構成されている１つ又はそれ以上の案内と、
を備えている。
【０００８】
[0007]１つ又はそれ以上の作動部材は、第１ジョー及び第２ジョーの１つ又はそれ以上の案内に対する並進運動を生じさせるように構成されていてもよい。
[0008]１つ又はそれ以上の作動部材は、第１ジョー及び第２ジョーが各個の閉位置に向けて作動されるときに、第１ジョー及び第２ジョーの１つ又はそれ以上の案内に向かう運動を生じさせるように構成されていてもよい。
【０００９】
[0009]１つ又はそれ以上の作動部材は、第１ジョーと第２ジョーの両方を作動させるように構成されている共通の作動ワイヤを備えていてもよい。
[0010]１つ又はそれ以上の作動部材は、第１ジョーと第２ジョーを作動させるためのそれぞれの作動ワイヤを備えていてもよい。
【００１０】
[0011]作動ワイヤは、第１ジョー及び第２ジョーの開閉を生じさせるために一斉に作動されるように構成されていてもよい。
[0012]作動ワイヤは、第１ジョーと第２ジョーの各個へ共通のピボット軸からのそれぞれのオフセット距離にて接続されていてもよい。
【００１１】
[0013]１つ又はそれ以上の案内は、第１ジョー及び第２ジョーの閉じる間に、第１ジョー及び第２ジョーの一部分が漸進的に受け入れられる開口を備えていてもよい。
[0014]開口は、第１ジョー及び第２ジョーの閉じる間に、第１ジョー及び第２ジョーのそれぞれの半径方向外側面と係合するように構成されている付勢面によって画定されていてもよい。
【００１２】
[0015]１つ又はそれ以上の案内はスリーブを備えていてもよい。
[0016]第１ジョー及び第２ジョーは、複数の生検試料を採取の順に保持するように構成されている試料保持体積を協働的に画定することができる。
【００１３】
[0017]第１ジョー及び第２ジョーは、１つ又はそれ以上の生検試料を保持するように構成されている試料保持体積を協働的に画定するそれぞれの内側面を備えていてもよい。第２ジョーの内側面は、１つ又はそれ以上の生検試料の第２ジョーの内側面への接着を促進するために、１つ又はそれ以上の生検試料と接面するための、第１ジョーの内側面より広い接触面積を提供していてもよい。
【００１４】
[0018]１つ又はそれ以上の案内は、第１ジョー及び第２ジョーの閉じる間に、第１ジョー及び第２ジョーの一部分が漸進的に受け入れられるスリーブを備えていてもよい。
[0019]第１ジョー及び第２ジョーは、第１ジョーと第２ジョーが閉じられたときに試料保持体積の少なくとも大部分がスリーブの外に留まるように構成されていてもよい。
【００１５】
[0020]第１ジョー及び第２ジョーは共通のピボット部材へ枢動式に連結されていてもよい。
[0021]第１ジョー及び第２ジョーは実質的に剛性であってもよい。
【００１６】
[0022]幾つかの実施形態では、１つ又はそれ以上の案内はスリーブを備えていてもよく；第１ジョー及び第２ジョーは共通のピボット部材へ枢動式に連結されていてもよく；共通のピボット部材の互いに反対側の端はスリーブと係合されるようになっていてもよく；及び、共通のピボット部材は、第１ジョー及び第２ジョーの閉じる間はスリーブに対して並進運動可能であってもよい。
【００１７】
[0023]スリーブは、共通のピボット部材のそれぞれ反対側の端に係合する直径方向に対向するスロットを備えていてもよい。
[0024]幾つかの実施形態では、第１ジョー及び第２ジョーは中心長手方向軸を有する細長い形状を有する試料保持体積を画定するようになっていてもよく；及び、１つ又はそれ以上の案内は、第１ジョーと第２ジョーが閉じられたときに第１ジョー及び第２ジョーによって画定される最大半径方向外側寸法と同じか又はそれより小さい最大半径方向外側寸法を画定していてもよい。
【００１８】
[0025]幾つかの実施形態では、１つ又はそれ以上の案内は、中心軸を有するスリーブを備えていてもよく；第１ジョー及び第２ジョーは、それぞれ、半径方向外側面と、半径方向外側面の、スリーブの中心軸に関して異なる半径方向外側寸法を有する２つの領域の間を延びている移行面部分と、を備えていてもよく；及び、スリーブは、第１ジョーと第２ジョーの閉じる間に第１ジョー及び第２ジョーの移行面部分と係合するように構成されている１つ又はそれ以上の付勢面を備えていてもよい。
【００１９】
[0026]幾つかの実施形態では、１つ又はそれ以上の案内は、中心軸を有するスリーブを備えていてもよく；第１ジョー及び第２ジョーは、それぞれ、半径方向外側面と、半径方向外側面からスリーブの中心軸に関して半径方向内方に延びている移行面部分と、を備えていてもよく；及び、スリーブは、第１ジョーと第２ジョーの閉じる間に第１ジョー及び第２ジョーの移行面部分と係合するように構成されている１つ又はそれ以上の付勢面を備えていてもよい。
【００２０】
[0027]移行面部分はスリーブの中心軸に実質的に横断方向であってもよい。
[0028]移行面部分はスリーブの中心軸に実質的に斜めであってもよい。
[0029]共通のピボット軸は１つ又はそれ以上の案内に対して可変位置を有していてもよい。
【００２１】
[0030]第１ジョーは、第１ジョー及び第２ジョーの枢動運動中に第２ジョーの第２揺動面と接面するための第１揺動面を有していてもよい。
[0031]共通のピボット軸は、第１揺動面と第２揺動面の間の界面に配置されていてもよい。
【００２２】
[0032]第１ジョーと第２ジョーはそれぞれの平行する案内ピンへ滑り係合されるようになっていてもよい。案内ピンは１つ又はそれ以上の案内へ固定されていてもよい。
[0033]第１ジョー及び第２ジョーは共通の案内ピンへ滑り係合されるようになっていてもよい。
【００２３】
[0034]共通の案内ピンは矩形の横断面輪郭を有していてもよい。
[0035]共通の案内ピンの長手方向軸は共通のピボット軸に横断方向であってもよい。
[0036]幾つかの実施形態では、１つ又はそれ以上の案内は、中心軸を有するスリーブを備えていてもよく；第１ジョー及び第２ジョーは、共通の案内ピンへ滑り係合されるようになっていてもよく；共通の案内ピンは矩形の横断面輪郭を有していてもよく；及び、横断面輪郭のスリーブの中心軸に沿った寸法は、横断面輪郭のスリーブの中心軸に横断方向の寸法より大きくてもよい。
【００２４】
[0037]共通の案内ピンは１つ又はそれ以上の案内へ固定されていてもよい。
[0038]幾つかの実施形態では、１つ又はそれ以上の案内は、中心軸を有するスリーブを備えていてもよく；及び、組立体は、第１ジョー及び第２ジョーの運動を案内するための案内インサートを備えていてもよい。案内インサートはスリーブの内部に配置されていてもよい。案内インサートは、１つ又はそれ以上の対応するスリーブ機構に係合するための及び案内インサートをスリーブの内部に保持するための１つ又はそれ以上の弾性機構を備えていてもよい。１つ又はそれ以上の弾性機構は、中心軸に関して半径方向内方の方向に弾性的に可動であってもよい。
【００２５】
[0039]１つ又はそれ以上のスリーブ機構は、案内インサートの対応する１つ又はそれ以上の弾性機構を受け入れるための、スリーブに形成されたそれぞれの受け器を備えていてもよい。案内インサートの１つ又はそれ以上の弾性機構は、半径方向外方に、対応する１つ又はそれ以上の受け器の中へ延びるようになっていてもよい。
【００２６】
[0040]案内インサートは、１つ又はそれ以上の弾性機構の弾性的半径方向内方運動を促し、それにより組み立て時の案内インサートのスリーブ内への挿入を容易にするために、１つ又はそれ以上のカットアウトを備えていてもよい。
【００２７】
[0041]案内インサートは、第１ジョーと第２ジョーの１つ又はそれ以上の開き運動を制限するための１つ又はそれ以上のストッパを備えていてもよい。
[0042]案内インサートは、第１ジョー及び第２ジョーによって協働的に画定される試料保持体積の近位端を画定する面を備えていてもよい。
【００２８】
[0043]実施形態は上記特徴の組合せを含むことができる。
[0044]別の態様では、開示は内視鏡手術道具のためのジョー組立体を記載している。組立体は、
共通のピボット軸周りに枢動可能な第１ジョー及び第２ジョーであって、それぞれの開位置と閉位置の間で枢動式に可動である第１ジョー及び第２ジョーと、
第１ジョー及び第２ジョーを各個の開位置と閉位置の間で作動させるための１つ又はそれ以上の作動部材と、
１つ又はそれ以上の作動部材を使用して、第１ジョーと第２ジョーの１つ又はそれ以上が各個の閉位置に向けて作動されるときに、当該１つ又はそれ以上のジョーを各個の閉位置に向けて付勢するように構成されている１つ又はそれ以上の案内と、
を備えている。
【００２９】
[0045]１つ又はそれ以上の作動部材は、第１ジョー及び第２ジョーの１つ又はそれ以上の案内に対する並進運動を生じさせるように構成されていてもよい。
[0046]１つ又はそれ以上の作動部材は、第１ジョー及び第２ジョーが各個の閉位置に向けて作動されるときに、第１ジョー及び第２ジョーの１つ又はそれ以上の案内に向かう運動を生じさせるように構成されていてもよい。
【００３０】
[0047]１つ又はそれ以上の作動部材は、第１ジョーと第２ジョーの両方を作動させるように構成されている共通の作動ワイヤを備えていてもよい。
[0048]１つ又はそれ以上の作動部材は、第１ジョーと第２ジョーを作動させるためのそれぞれの作動ワイヤを備えていてもよい。
【００３１】
[0049]作動ワイヤは、第１ジョー及び第２ジョーの開閉を生じさせるために一斉に作動されるように構成されていてもよい。
[0050]作動ワイヤは、第１ジョーと第２ジョーの各個へ共通のピボット軸からのそれぞれのオフセット距離にて接続されていてもよい。
【００３２】
[0051]１つ又はそれ以上の案内は、第１ジョー及び第２ジョーの閉じる間に、第１ジョー及び第２ジョーの一部分が漸進的に受け入れられる開口を備えている。
[0052]開口は、第１ジョー及び第２ジョーの閉じる間に、第１ジョー及び第２ジョーのそれぞれの半径方向外側面と係合するように構成されている付勢面によって画定されていてもよい。
【００３３】
[0053]１つ又はそれ以上の案内はスリーブを備えていてもよい。
[0054]第１ジョー及び第２ジョーは共通のピボット部材へ枢動可能に連結されていてもよい。
【００３４】
[0055]第１ジョー及び第２ジョーは実質的に剛性であってもよい。
[0056]幾つかの実施形態では、１つ又はそれ以上の案内はスリーブを備えていてもよく；第１ジョー及び第２ジョーは共通のピボット部材へ枢動式に連結されていてもよく；共通のピボット部材の互いに反対側の端はスリーブと係合されるようになっていてもよく；及び、共通のピボット部材は、第１ジョー及び第２ジョーの閉じる間はスリーブに対して並進運動可能であってもよい。
【００３５】
[0057]スリーブは、共通のピボット部材のそれぞれ反対側の端に係合する直径方向に対向するスロットを備えていてもよい。
[0058]幾つかの実施形態では、１つ又はそれ以上の案内は、中心軸を有するスリーブを備えていてもよく；第１ジョー及び第２ジョーは、それぞれ、半径方向外側面と、半径方向外側面の、スリーブの中心軸に関して異なる半径方向外側寸法を有する２つの領域の間を延びている移行面部分と、を備えていてもよく；及び、スリーブは、第１ジョーと第２ジョーの閉じる間に第１ジョー及び第２ジョーの移行面部分と係合するように構成されている１つ又はそれ以上の付勢面を備えていてもよい。
【００３６】
[0059]幾つかの実施形態では、１つ又はそれ以上の案内は、中心軸を有するスリーブを備えていてもよく；第１ジョー及び第２ジョーは、それぞれ、半径方向外側面と、半径方向外側面からスリーブの中心軸に関して半径方向内方に延びている移行面部分と、を備えていてもよく；及び、スリーブは、第１ジョーと第２ジョーの閉じる間に第１ジョー及び第２ジョーの移行面部分と係合するように構成されている１つ又はそれ以上の付勢面を備えていてもよい。
【００３７】
[0060]移行面部分はスリーブの中心軸に実質的に横断方向であってもよい。
[0061]移行面部分はスリーブの中心軸に実質的に斜めであってもよい。
[0062]共通のピボット軸は１つ又はそれ以上の案内に対して可変位置を有していてもよい。
【００３８】
[0063]第１ジョーは、第１ジョー及び第２ジョーの枢動運動中に第２ジョーの第２揺動面と接面するための第１揺動面を有していてもよい。
[0064]共通のピボット軸は、第１揺動面と第２揺動面の間の界面に配置されていてもよい。
【００３９】
[0065]第１ジョーと第２ジョーはそれぞれの平行する案内ピンへ滑り係合されるようになっていてもよい。
[0066]案内ピンは１つ又はそれ以上の案内へ固定されていてもよい。
【００４０】
[0067]第１ジョー及び第２ジョーは共通の案内ピンへ滑り係合されるようになっていてもよい。
[0068]共通の案内ピンは矩形の横断面輪郭を有していてもよい。
【００４１】
[0069]共通の案内ピンの長手方向軸は共通のピボット軸に横断方向であってもよい。
[0070]幾つかの実施形態では、１つ又はそれ以上の案内は、中心軸を有するスリーブを備えていてもよく；第１ジョー及び第２ジョーは、共通の案内ピンへ滑り係合されるようになっていてもよく；共通の案内ピンは矩形の横断面輪郭を有していて、横断面輪郭のスリーブの中心軸に沿った寸法は、横断面輪郭のスリーブの中心軸に横断方向の寸法より大きい、というのであってもよい。
【００４２】
[0071]共通の案内ピンは１つ又はそれ以上の案内へ固定されていてもよい。
[0072]幾つかの実施形態では、１つ又はそれ以上の案内は、中心軸を有するスリーブを備えていてもよく；及び、組立体は、第１ジョー及び第２ジョーの運動を案内するための案内インサートを備えていてもよい。案内インサートはスリーブの内部に配置されていてもよい。案内インサートは、１つ又はそれ以上の対応するスリーブ機構に係合するための及び案内インサートをスリーブの内部に保持するための１つ又はそれ以上の弾性機構を備えていてもよい。１つ又はそれ以上の弾性機構は、スリーブの中心軸に関して半径方向内方の方向に弾性的に可動であってもよい。
【００４３】
[0073]１つ又はそれ以上のスリーブ機構は、案内インサートの対応する１つ又はそれ以上の弾性機構を受け入れるための、スリーブに形成されたそれぞれの受け器を備えていてもよい。案内インサートの１つ又はそれ以上の弾性機構は、半径方向外方に、対応する１つ又はそれ以上の受け器の中へ延びるようになっていてもよい。
【００４４】
[0074]案内インサートは、１つ又はそれ以上の弾性機構の弾性的半径方向内方運動を促し、それにより組み立て時の案内インサートのスリーブ内への挿入を容易にするために、１つ又はそれ以上のカットアウトを備えていてもよい。
【００４５】
[0075]案内インサートは、第１ジョーと第２ジョーの１つ又はそれ以上の開き運動を制限するための１つ又はそれ以上のストッパを備えていてもよい。
[0076]第１ジョー及び第２ジョーは、それぞれ、シザーブレードを備えていてもよい。
【００４６】
[0077]実施形態は上記特徴の組合せを含むことができる。
[0078]別の態様では、開示は、生検鉗子装置のためのジョー組立体を記載している。組立体は、第１及び第２の実質的に剛性なジョーであって、それぞれの開位置と閉位置の間で枢動式に可動であり、当該第１ジョーと当該第２ジョーの各個の開位置と閉位置の間での作動によって１つ又はそれ以上の生検試料を協働的に採取し及び保持するように構成されている第１ジョー及び第２ジョーを備えており、第１ジョー及び第２ジョーは、１つ又はそれ以上の生検試料を保持するように構成されている試料保持体積を協働的に画定するそれぞれの内側面を備え、第２ジョーの内側面は、１つ又はそれ以上の生検試料の第２ジョーの内側面への接着を促進するために、１つ又はそれ以上の生検試料と接面するための、第１ジョーの内側面より広い接触面積を提供している。
【００４７】
[0079]試料保持体積は、複数の生検試料を保持するように構成されていてもよい。
[0080]試料保持体積は、採取の順での生検試料の列を収容するように構成されていてもよい。
【００４８】
[0081]試料保持体積は、採取の向きでの生検試料の列を収容するように構成されていてもよい。
[0082]試料保持体積は、５つ又はそれ以上の生検試料を保持するように構成されていてもよい。
【００４９】
[0083]試料保持体積は、中心長手方向軸を有する細長い形状を有していてもよい。
[0084]第１ジョーと第２ジョーの間の接触界面は、中心長手方向軸に交わり中心長手方向軸に平行である平面内に全体が位置していてもよい。
【００５０】
[0085]第２ジョーの面は、第２ジョーがその閉位置にあるときに、中心長手方向軸に交わり中心長手方向軸に平行である平面内に実質的に全体が位置していてもよい。
[0086]第１ジョーの面の一部分は、第１ジョーがその閉位置にあるときに、当該平面からオフセットされていてもよい。
【００５１】
[0087]幾つかの実施形態では、第１ジョーは、第１ジョーの内側面に画定されている窓を備えていてもよく；第２ジョーは、第２ジョーの内側面に画定される窓が無くてもよい。
【００５２】
[0088]第１ジョーの開窓は第２ジョーの開窓とは異なっていてもよい。
[0089]第１ジョー及び第２ジョーは共通のピボット軸周りに枢動可能であってもよい。
[0090]組立体は、第１ジョーと第２ジョーの１つ又はそれ以上が各個の閉位置に向けて作動されるときに、当該１つ又はそれ以上のジョーを各個の閉位置に向けて付勢するように構成されている１つ又はそれ以上の案内を備えていてもよい。
【００５３】
[0091]実施形態は上記特徴の組合せを含むことができる。
[0092]更なる態様では、開示は、１つ又はそれ以上の生検試料を採取するためのキットを記載している。キットは、
１つ又はそれ以上の生検試料を協働的に採取し及び保持するように構成されている第１ジョー及び第２ジョー、を備える生検鉗子装置と、
収集部材であって、生検鉗子装置によって保持されている１つ又はそれ以上の生検試料に接触し及び接着するように、及び当該収集部材と生検鉗子装置の互いからの退避に際して１つ又はそれ以上の生検試料を生検鉗子装置から収集するように、構成されている接着性部分、を備える収集部材と、
を備えている。
【００５４】
[0093]生検鉗子装置は、１つ又はそれ以上の生検試料全てを、第１ジョーと第２ジョーのうち一方のみに保持するように構成されていてもよい。
[0094]接着性部分は、排他的に、収集部材の一方の面に配置されていてもよい。
【００５５】
[0095]接着性部分は化学的結合剤を備えていてもよい。
[0096]化学的結合剤はエポキシを備えていてもよい。
[0097]化学的結合剤はグルーを備えていてもよい。
【００５６】
[0098]接着性部分は機械的結合剤を備えていてもよい。
[0099]機械的結合剤は表面テクスチャを備えていてもよい。
[0100]機械的結合剤は試料接着機構のアレイを備えていてもよい。
【００５７】
[0101]接着性部分は、１つ又はそれ以上の生検試料の収集部材への静電結合を生じさせるように構成されていてもよい。
[0102]接着性部分は、１つ又はそれ以上の生検試料の収集部材への熱的結合を生じさせるように構成されていてもよい。
【００５８】
[0103]接着性部分は、１つ又はそれ以上の生検試料の収集部材への凍結結合を生じさせるように構成されていてもよい。
[0104]接着性部分は、１つ又はそれ以上の生検試料の収集部材への乾燥結合を生じさせるように構成されていてもよい。
【００５９】
[0105]接着性部分は、真空源と連通している１つ又はそれ以上の真空ポートを備えていてもよい。
[0106]収集部材は、第１ジョーと第２ジョーの間に受け入れられるように構成されていてもよい。
【００６０】
[0107]収集部材は、１つ又はそれ以上の生検試料の収集中に生検鉗子装置の位置を拘束するための案内を備えていてもよい。
[0108]案内は、第１ジョー又は第２ジョーを通して受け入れるための開口部を画定していてもよい。開口部は、生検鉗子装置の向きを拘束するために、通して受け入れられる第１ジョー又は第２ジョーの横断面輪郭の少なくとも大部分に一致する形状、を有していてもよい。
【００６１】
[0109]収集部材は管状構成を有していて、案内によって画定されている開口部は、１つ又はそれ以上の生検試料の収集時に第１ジョー又は第２ジョーが受け入れられる管状の収集部材のルーメンへの開口部である、というのであってもよい。
【００６２】
[0110]接着性部分は管状の収集部材の外壁上に配置されていてもよい。
[0111]収集部材は、複数の１つ又はそれ以上の生検試料の採取の順を指示するラベルを備えていてもよい。
【００６３】
[0112]幾つかの実施形態では、生検鉗子装置は、第１ジョー及び第２ジョーの閉じる間に、第１ジョー及び第２ジョーの一部分が漸進的に受け入れられるスリーブであって、第１ジョー及び第２ジョーが各個の閉位置に向けて作動されるときに、当該１つ又はそれ以上のジョーを各個の閉位置に向けて付勢するスリーブを備えており；第１ジョー及び第２ジョーは、複数の１つ又はそれ以上の生検試料を採取の順に保持するように構成されている試料保持体積を協働的に画定するようになっていてもよく；及び、第１ジョー及び第２ジョーが閉じられたときに試料保持体積の少なくとも大部分がスリーブの外に留まるようになっていてもよい。
【００６４】
[0113]実施形態は上記特徴の組合せを含むことができる。
[0114]更なる態様では、開示は、生検鉗子装置によって保持されている１つ又はそれ以上の生検試料を収集するための収集部材を記載している。収集部材は、
生検鉗子装置によって保持されている１つ又はそれ以上の生検試料に接触し及び接着するように、及び収集部材と生検鉗子装置の互いからの退避に際して１つ又はそれ以上の生検試料を生検鉗子装置から収集するように、構成されている接着性部分と、
１つ又はそれ以上の生検試料の収集中に接着性部分に対する生検鉗子装置の配置を拘束するための案内と、
を備えている。
【００６５】
[0115]接着性部分は、排他的に、収集部材の一方の面に配置されていてもよい。
[0116]接着性部分は化学的結合剤を備えていてもよい。
[0117]接着性部分は機械的結合剤を備えていてもよい。
【００６６】
[0118]案内は、一方のジョーを通して受け入れるための開口部を画定していてもよい。
[0119]開口部は、生検鉗子装置の向きを拘束するために、通して受け入れられる当該一方のジョーの横断面輪郭の少なくとも大部分に実質的に一致する形状を有していてもよい。
【００６７】
[0120]収集部材は管状構成を有していて、案内によって画定されている開口部は、１つ又はそれ以上の生検試料の収集時に当該一方のジョーが受け入れられる管状の収集部材のルーメンへの開口部である、というのであってもよい。
【００６８】
[0121]接着性部分は管状の収集部材の外壁上に配置されていてもよい。
[0122]収集部材は、複数の１つ又はそれ以上の生検試料の採取の順を指示するラベルを備えていてもよい。
【００６９】
[0123]収集部材は第１ジョーと第２ジョーの間に受け入れられるように構成されていてもよい。
[0124]実施形態は上記特徴の組合せを含むことができる。
【００７０】
[0125]更なる態様では、開示は、１つ又はそれ以上の生検試料を協働的に採取し及び保持するように構成されている第１ジョー及び第２ジョーを備える生検鉗子装置から１つ又はそれ以上の生検試料を収集するための方法を記載している。方法は、
収集部材の接着性部分を生検鉗子装置によって保持されている１つ又はそれ以上の生検試料と接触させる段階と、
１つ又はそれ以上の生検試料を接着性部分へ接着させる段階と、
生検鉗子装置から収集部材の接着性部分へ接着させた１つ又はそれ以上の生検試料を収集する段階と、
を備えている。
【００７１】
[0126]方法は、１つ又はそれ以上の生検試料を収集部材へ接着させるために第１ジョーと第２ジョーの間に収集部材をクランプする段階を備えていてもよい。方法は、収集部材をクランプ解除する段階と、次いで収集部材と生検鉗子装置を互いから退避させる段階と、を備えていてもよい。
【００７２】
[0127]１つ又はそれ以上の生検試料を収集部材へ接着させる段階は、１つ又はそれ以上の生検試料を収集部材へ化学的に結合させる段階を備えていてもよい。
[0128]１つ又はそれ以上の生検試料を収集部材へ接着させる段階は、１つ又はそれ以上の生検試料を収集部材へ機械的に結合させる段階を備えていてもよい。
【００７３】
[0129]１つ又はそれ以上の生検試料を収集部材へ接着させる段階は、１つ又はそれ以上の生検試料を収集部材へ静電的に結合させる段階を備えていてもよい。
[0130]１つ又はそれ以上の生検試料を収集部材へ接着させる段階は、１つ又はそれ以上の生検試料を収集部材へ凝固を使用して結合させる段階を備えていてもよい。
【００７４】
[0131]１つ又はそれ以上の生検試料を収集部材へ接着させる段階は、１つ又はそれ以上の生検試料を収集部材へ真空源を使用して結合させる段階を備えていてもよい。
[0132]１つ又はそれ以上の生検試料を収集部材へ接着させる段階は、１つ又はそれ以上の生検試料を収集部材へエポキシを使用して結合させる段階を備えていてもよい。
【００７５】
[0133]１つ又はそれ以上の生検試料を収集する段階は、生検鉗子装置の第１ジョーと第２ジョーを開いた後に収集部材と生検鉗子装置を互いから退避させる段階を備えていてもよい。
【００７６】
[0134]実施形態は上記特徴の組合せを含むことができる。
[0135]本願の主題のこれら及び他の態様の更なる詳細は、以下に含まれている詳細な説明及び図面から明らかになるであろう。
【００７７】
[0136]これより添付図面を参照する。
【図面の簡単な説明】
【００７８】
【図１Ａ】[0137]１つの実施形態による生検鉗子装置の或る例示としてのジョー組立体の斜視図を示している。
【図１Ｂ】[0138]図１Ａのジョー組立体の斜視分解図を示している。
【図１Ｃ】[0139]閉構成にある図１Ａのジョー組立体の側面立面図を示している。
【図１Ｄ】[0140]閉構成にある図１Ａのジョー組立体の、図１Ｃの１Ｄ−１Ｄ線に沿って取られた軸方向断面図を示している。
【図１Ｅ】[0141]閉構成にある図１Ａのジョー組立体の、図１Ｃの１Ｅ−１Ｅ線に沿って取られた断面図を示している。
【図１Ｆ】[0142]開構成にある図１Ａのジョー組立体の側面立面図を示している。
【図１Ｇ】[0143]開構成にある図１Ａのジョー組立体の、図１Ｆの１Ｇ−１Ｇ線に沿って取られた軸方向断面図を示している。
【図２Ａ】[0144]別の実施形態による生検鉗子装置の或る例示としてのジョー組立体の斜視図を示している。
【図２Ｂ】[0145]閉構成にある図２Ａのジョー組立体の、図２Ａの２−２線に沿って取られた断面図を示している。
【図２Ｃ】[0146]開構成にある図２Ａのジョー組立体の、図２Ａの２−２線に沿って取られた軸方向断面図を示している。
【図３Ａ】[0147]別の実施形態による生検鉗子装置の、閉位置にある或る例示としてのジョー組立体の軸方向断面図を示している。
【図３Ｂ】[0148]図３Ａのジョー組立体の領域３の拡大図を示している。
【図３Ｃ】[0149]開構成にある図３Ａのジョー組立体の軸方向断面図を示している。
【図４Ａ】[0150]別の実施形態による生検鉗子装置の或る例示としてのジョー組立体の斜視図を示している。
【図４Ｂ】[0151]図４Ａのジョー組立体の斜視分解図を示している。
【図４Ｃ】[0152]閉構成にある図４Ａのジョー組立体の側面立面図を示している。
【図４Ｄ】[0153]閉構成にある図４Ａのジョー組立体の、図４Ｃの４Ｄ−４Ｄ線に沿って取られた軸方向断面図を示している。
【図４Ｅ】[0154]閉構成にある図４Ａのジョー組立体の、図４Ｃの４Ｅ−４Ｅ線に沿って取られた断面図を示している。
【図４Ｆ】[0155]開構成にある図４Ａのジョー組立体の側面立面図を示している。
【図４Ｇ】[0156]開構成にある図４Ａのジョー組立体の、図４Ｆの４Ｇ−４Ｇ線に沿って取られた軸方向断面図を示している。
【図５Ａ】[0157]別の実施形態による生検鉗子装置の或る例示としてのジョー組立体の斜視図を示している。
【図５Ｂ】[0158]図５Ａのジョー組立体の斜視分解図を示している。
【図５Ｃ】[0159]閉構成にある図５Ａのジョー組立体の側面立面図を示している。
【図５Ｄ】[0160]閉構成にある図５Ａのジョー組立体の、図５Ｃの５Ｄ−５Ｄ線に沿って取られた軸方向断面図を示している。
【図５Ｅ】[0161]閉構成にある図５Ａのジョー組立体の、図５Ｃの５Ｅ−５Ｅ線に沿って取られた断面図を示している。
【図５Ｆ】[0162]開構成にある図５Ａのジョー組立体の側面立面図を示している。
【図５Ｇ】[0163]開構成にある図５Ａのジョー組立体の、図５Ｆの５Ｇ−５Ｇ線に沿って取られた軸方向断面図を示している。
【図６Ａ】[0164]別の実施形態による生検鉗子装置の或る例示としてのジョー組立体の斜視図を示している。
【図６Ｂ】[0165]図６Ａのジョー組立体の斜視分解図を示している。
【図６Ｃ】[0166]閉構成にある図６Ａのジョー組立体の側面立面図を示している。
【図６Ｄ】[0167]閉構成にある図６Ａのジョー組立体の、図６Ｃの６Ｄ−６Ｄ線に沿って取られた軸方向断面図を示している。
【図６Ｅ】[0168]閉構成にある図６Ａのジョー組立体の、図６Ｃの６Ｅ−６Ｅ線に沿って取られた断面図を示している。
【図６Ｆ】[0169]開構成にある図６Ａのジョー組立体の側面立面図を示している。
【図６Ｇ】[0170]開構成にある図６Ａのジョー組立体の、図６Ｆの６Ｇ−６Ｇ線に沿って取られた軸方向断面図を示している。
【図７Ａ】[0171]別の実施形態による生検鉗子装置の或る例示としてのジョー組立体の斜視図を示している。
【図７Ｂ】[0172]図７Ａのジョー組立体の斜視分解図を示している。
【図７Ｃ】[0173]閉構成にある図７Ａのジョー組立体の側面立面図を示している。
【図７Ｄ】[0174]閉構成にある図７Ａのジョー組立体の、図７Ｃの７Ｄ−７Ｄ線に沿って取られた軸方向断面図を示している。
【図７Ｅ】[0175]閉構成にある図７Ａのジョー組立体の、図７Ｃの７Ｅ−７Ｅ線に沿って取られた断面図を示している。
【図７Ｆ】[0176]開構成にある図７Ａのジョー組立体の側面立面図を示している。
【図７Ｇ】[0177]開構成にある図７Ａのジョー組立体の、図７Ｆの７Ｇ−７Ｇ線に沿って取られた軸方向断面図を示している。
【図８Ａ】[0178]別の実施形態による生検鉗子装置の或る例示としてのジョー組立体の斜視図を示している。
【図８Ｂ】[0179]図８Ａのジョー組立体の斜視分解図を示している。
【図８Ｃ】[0180]閉構成にある図８Ａのジョー組立体の側面立面図を示している。
【図８Ｄ】[0181]閉構成にある図８Ａのジョー組立体の、図８Ｃの８Ｄ−８Ｄ線に沿って取られた軸方向断面図を示している。
【図８Ｅ】[0182]閉構成にある図８Ａのジョー組立体の、図８Ｃの８Ｅ−８Ｅ線に沿って取られた断面図を示している。
【図８Ｆ】[0183]開構成にある図８Ａのジョー組立体の側面立面図を示している。
【図８Ｇ】[0184]開構成にある図８Ａのジョー組立体の、図８Ｆの８Ｇ−８Ｇ線に沿って取られた軸方向断面図を示している。
【図９Ａ】[0185]別の実施形態による生検鉗子装置の、閉位置にある或る例示としてのジョー組立体の軸方向断面図を示している。
【図９Ｂ】[0186]異なる実施形態による、図９Ａのジョー組立体の領域９の拡大図を示している。
【図９Ｃ】[0186]異なる実施形態による、図９Ａのジョー組立体の領域９の拡大図を示している。
【図９Ｄ】[0186]異なる実施形態による、図９Ａのジョー組立体の領域９の拡大図を示している。
【図９Ｅ】[0186]異なる実施形態による、図９Ａのジョー組立体の領域９の拡大図を示している。
【図９Ｆ】[0187]開構成にある図９Ａのジョー組立体の軸方向断面図を示している。
【図１０Ａ】[0188]別の実施形態による生検鉗子装置の或る例示としてのジョー組立体の斜視図を示している。
【図１０Ｂ】[0189]図１０Ａのジョー組立体の斜視分解図を示している。
【図１０Ｃ】[0190]閉構成にある図１０Ａのジョー組立体の側面立面図を示している。
【図１０Ｄ】[0191]閉構成にある図１０Ａのジョー組立体の、図１０Ｃの１０Ｄ−１０Ｄ線に沿って取られた軸方向断面図を示している。
【図１０Ｅ】[0192]閉構成にある図１０Ａのジョー組立体の、図１０Ｃの１０Ｅ−１０Ｅ線に沿って取られた断面図を示している。
【図１０Ｆ】[0193]開構成にある図１０Ａのジョー組立体の側面立面図を示している。
【図１０Ｇ】[0194]開構成にある図１０Ａのジョー組立体の、図１０Ｆの１０Ｇ−１０Ｇ線に沿って取られた軸方向断面図を示している。
【図１１Ａ】[0195]別の実施形態による生検鉗子装置の或る例示としてのジョー組立体の斜視図を示している。
【図１１Ｂ】[0196]図１１Ａのジョー組立体の斜視分解図を示している。
【図１１Ｃ】[0197]閉構成にある図１１Ａのジョー組立体の側面立面図を示している。
【図１１Ｄ】[0198]閉構成にある図１１Ａのジョー組立体の、図１１Ｃの１１Ｄ−１１Ｄ線に沿って取られた軸方向断面図を示している。
【図１１Ｅ】[0199]閉構成にある図１１Ａのジョー組立体の、図１１Ｃの１１Ｅ−１１Ｅ線に沿って取られた断面図を示している。
【図１１Ｆ】[0200]開構成にある図１１Ａのジョー組立体の側面立面図を示している。
【図１１Ｇ】[0201]開構成にある図１１Ａのジョー組立体の、図１１Ｆの１１Ｇ−１１Ｇ線に沿って取られた軸方向断面図を示している。
【図１２Ａ】[0202]別の実施形態による生検鉗子装置の或る例示としてのジョー組立体の斜視図を示している。
【図１２Ｂ】[0203]図１２Ａのジョー組立体の斜視分解図を示している。
【図１２Ｃ】[0204]閉構成にある図１２Ａのジョー組立体の側面立面図を示している。
【図１２Ｄ】[0205]閉構成にある図１２Ａのジョー組立体の、図１２Ｃの１２Ｄ−１２Ｄ線に沿って取られた軸方向断面図を示している。
【図１２Ｅ】[0206]閉構成にある図１２Ａのジョー組立体の、図１２Ｃの１２Ｅ−１２Ｅ線に沿って取られた断面図を示している。
【図１２Ｆ】[0207]開構成にある図１２Ａのジョー組立体の側面立面図を示している。
【図１２Ｇ】[0208]開構成にある図１２Ａのジョー組立体の、図１２Ｆの１２Ｇ−１２Ｇ線に沿って取られた軸方向断面図を示している。
【図１２Ｈ】[0209]図１２Ａのジョー組立体の案内インサートの斜視図を示している。
【図１２Ｉ】[0210]図１２Ｈの案内インサートの底面図を示している。
【図１２Ｊ】[0211]図１２Ｈの案内インサートの前面立面図を示している。
【図１３Ａ】[0212]内視鏡手術道具の或る例示としてのジョー組立体の斜視図を示している。
【図１３Ｂ】[0213]図１３Ａのジョー組立体の斜視分解図を示している。
【図１３Ｃ】[0214]閉構成にある図１３Ａのジョー組立体の軸方向断面図を示している。
【図１３Ｄ】[0215]開構成にある図１３Ｄのジョー組立体の軸方向断面図を示している。
【図１４Ａ】[0216]図１Ａのジョー組立体のクランプ力対開角度のグラフを示している。
【図１４Ｂ】[0217]ジョー組立体のスリーブを部分的に破断させた状態で図１Ａのジョー組立体の拡大図を示している。
【図１５Ａ】[0218]生検鉗子装置と収集部材を備える、１つ又はそれ以上の生検試料を採取するためのキットの斜視図を示している。
【図１５Ｂ】[0218]図１５Ａと共に、生検試料を採取するためのキットの斜視図を示している。
【図１６Ａ】[0219]図１５Ａ及び図１５Ｂの収集部材を使用して生検鉗子装置から生検試料を収集するための方法において、生検試料が生検鉗子装置の上側のジョーに保持されている場合の方法を図画的に説明している。
【図１６Ｂ】[0219]図１６Ａと共に、生検試料を収集するための方法を図画的に説明している。
【図１６Ｃ】[0219]図１６Ａ−図１６Ｂと共に、生検試料を収集するための方法を図画的に説明している。
【図１７Ａ】[0220]図１５Ａ及び図１５Ｂの収集部材を使用して生検鉗子装置から生検試料を収集するための方法において、生検試料が生検鉗子装置の下側のジョーに保持されている場合の方法を図画的に説明している。
【図１７Ｂ】[0220]図１７Ａと共に、生検試料を収集するための方法を図画的に説明している。
【図１７Ｃ】[0220]図１７Ａ−図１７Ｂと共に、生検試料を収集するための方法を図画的に説明している。
【図１８Ａ】[0221]別の実施形態による生検鉗子装置と収集部材を備える、１つ又はそれ以上の生検試料を採取するための別のキットの斜視図を示している。
【図１８Ｂ】[0221]図１８Ａと共に、生検試料を採取するためのキットの斜視図を示している。
【図１９Ａ】[0222]図１８Ａ及び図１８Ｂの収集部材を使用して生検鉗子装置から生検試料を収集するための方法において、生検試料が生検鉗子装置の上側のジョーに保持されている場合の方法を図画的に説明している。
【図１９Ｂ】[0222]図１９Ａと共に、生検試料を収集するための方法を図画的に説明している。
【図１９Ｃ】[0222]図１９Ａ−図１９Ｂと共に、生検試料を収集するための方法を図画的に説明している。
【図２０】[0223]図１８Ａ及び図１８Ｂのキットの収集部材の斜視図であり、生検試料の採取の順を指示する或る例示としてのラベルを示している。
【図２１Ａ】[0224]収集部材を使用して生検鉗子装置から生検試料を収集するための別の方法を図画的に説明している。
【図２１Ｂ】[0224]図２１Ａと共に、生検試料を収集するための方法を図画的に説明している。
【図２１Ｃ】[0224]図２１Ａ−図２１Ｂと共に、生検試料を収集するための方法を図画的に説明している。
【図２１Ｄ】[0224]図２１Ａ−図２１Ｃと共に、生検試料を収集するための方法を図画的に説明している。
【図２２】[0225]生検鉗子装置から１つ又はそれ以上の生検試料を収集するための方法の流れ図を示している。
【発明を実施するための形態】
【００７９】
[0226]次に続く開示は、１つ又はそれ以上の生検試料を採取し及び保持するように構成されている生検鉗子装置のための及び他の道具のためのジョー組立体に関する。幾つかの実施形態では、ここに開示されているジョー組立体は、複数の生検試料を採取しそれら複数の生検試料を採取の順に保持するように構成されており、したがって生検鉗子装置の患者への繰り返される挿入及び抜去が軽減され得る。幾つかの実施形態では、ここに開示されているジョー組立体は、複数の生検試料を更に採取の向きで保持するように構成されている。幾つかの実施形態では、ジョー組立体は、ジョーのクランプ力（例えば噛みつき動作）を増強し生検試料の採取を容易にするように構成されている案内部材を備えることができる。幾つかの実施形態では、ジョー組立体のジョーは、採取された生検試料の、一方のジョーへの接着を促進するように構成されることができる。これは、使用中の生検鉗子装置内の生検試料の保持を容易にすると共に生検鉗子装置からの生検試料の収集も容易にすることができる。
【００８０】
[0227]この開示の諸態様は、増強されたクランプ力又は閉じ力から恩恵を享受することのできる他の（例えば内視鏡及び／又は手術の）道具に適用可能である。例えば、ここでの使用に際し「ジョー」という用語は、２つ又はそれ以上の対置可能な部品であって、それらの間で何かを保持する、つぶす、引き離す、及び／又は切るために開閉できる部品、を網羅するものとする。例えば、開示の諸態様は、手術用のクリップアプライヤー、シザース、グラバー、リトリーバー、縫合装置、パンチ、及びこれらの道具の何れかの組合せの様な、他の道具にも適用可能であり得る。
【００８１】
[0228]更に、生検鉗子装置からの（単数又は複数の）生検試料の収集を容易にする接着性収集部材であって、複数試料生検鉗子装置の場合には、生検試料の収集の順及び向きの追跡と各生検試料が取られた場所による生検試料の目録作成を容易にする接着性収集部材も開示されている。
【００８２】
[0229]様々な実施形態の諸態様が図面の参照を通して説明されている。
[0230]図１Ａ−図１Ｇは、内視鏡の作業チャネル（例えば可撓性又は剛性）の中へ又は患者から１つ又はそれ以上の生検試料を採取するという目的のための他の管状部材の中へ挿入され得る生検鉗子装置のための生検ジョー組立体１００の或る例示としての実施形態を示している。生検ジョー組立体１００は前方組織試料採取向けの構成とすることができる。図１Ａ−図１Ｇに関し、ジョー組立体１００は、それぞれの開位置と閉位置（例えば図１Ｄ及び図１Ｇをそれぞれ参照）の間を枢動式に可動である第１ジョー１０及び第２ジョー１２であって、第１ジョー１０と第２ジョー１２の各個の開位置と閉位置の間での作動によって１つ又はそれ以上の生検試料を協働的に採取し及び保持するように構成されている第１ジョー１０及び第２ジョー１２、を備えることができる。
【００８３】
[0231]「近位」及び「遠位」という用語は、ここでは、中心長手方向軸「Ｌ」に沿った互いに反対側の方向を記述するのに用いられる。「近位」という用語はジョー組立体１００の操作者に向かう方向（即ち図１Ａでは軸Ｌに沿って下方）を記述するのに用いられ、「遠位」という用語はジョー組立体１００の操作者から離れる方向（即ち図１Ａでは軸Ｌに沿って上方）を記述するのに用いられる。
【００８４】
[0232]ジョー組立体１００は、様々な実施形態で可撓性のこともあれば剛性のこともあるシャフト１３の様な細長い管の遠位端へ付着されることができる。ジョー組立体１００は、以下に説明されている適した作動メカニズムによって開閉されることができる。その様な作動メカニズムは、シャフト１３の近位端に配置されている適した制御器を操作することによって制御されるようになっていてもよい。制御器は、例えば施術中に、医師又は助手によるジョー組立体１００の作動及び／又は回転を許容するように構成されていてもよい。
【００８５】
[0233]ここに開示されているジョー組立体を備える生検鉗子装置は、内視鏡の作業チャネルの利用の有無を問わず内視鏡と共に使用され得るものと理解している。更に、その様な生検鉗子装置は、例えば心筋生検の場合がそうである様に内視鏡無しの使用にも適するであろうと理解している。様々な実施形態では、ここに開示されているジョー組立体は、患者の身体の内奥部位（例えば、大腸、尿路、生殖器、心臓組織、など）での使用に適しているであろう。例えば、その様な生検鉗子装置は、導入器又は案内カテーテルに通されるように構成されていてもよい。幾つかの実施形態では、ここに開示されている生検鉗子装置は、焼灼法又はホットバイオプシー用途のための電気的接続部を提供されていてもよい。幾つかの実施形態では、ここに開示されている生検鉗子装置は、獣医学的処置に適しているであろう。
【００８６】
[0234]幾つかの実施形態では、第１ジョー１０及び第２ジョー１２は、共通のピボット軸Ｐ周りに枢動可能（即ちヒンジ付けされている）であってもよい。例えば、第１ジョー１０及び第２ジョー１２は、第１ジョー１０及び第２ジョー１２それぞれのアーム２０、２２に形成されている孔１６、１８を介して共通のピボット部材１４（例えばピン又はアイレット）を使用して枢動式に連結されていてもよい。第１ジョー１０及び第２ジョー１２は、スロット２６を介して平坦部材２４と滑り係合されていてもよい。例えば、第１ジョー１０のアーム２０が平坦部材２４の一方の側に配置されていて、第２ジョー１２のアーム２２が平坦部材２４の反対の側に配置されていてもよい。アーム２０、２２は、孔１６、１８及びスロット２６を介して平坦部材２４を通って延びているピボット部材１４を介して枢動式に固定されていてもよい。スロット２６は、第１ジョー１０及び第２ジョー１２の作動（即ち開閉）中の第１ジョー１０及び第２ジョー１２の平坦部材２４に対する長手方向（即ち遠位近位）運動を許容するために、ジョー組立体１００の長手方向軸Ｌに沿って向き付けられている。したがって、共通のピボット軸Ｐは、作動中のピン１４のスロット２６内での運動に因り長手方向軸Ｌに沿って動くことができる。
【００８７】
[0235]ジョー組立体１００は、第１ジョー１０及び第２ジョー１２をそれぞれの開位置及び閉位置の間で作動させるための１つ又はそれ以上の作動部材を備えることができる。例えば、例示されている様に、ジョー組立体１００は第１ジョー１０と第２ジョー１２を作動させるためのそれぞれの作動ワイヤ２８を備えていてもよい。幾つかの実施形態では、一方又は両方のワイヤ２８は多重撚線構造を有していてもよい。幾つかの実施形態では、一方又は両方のワイヤ２８は中実ワイヤを備えていてもよい。
【００８８】
[0236]作動ワイヤ２８は、アーム２０及び２２上の、共通のピボット軸Ｐからのオフセット距離にそれぞれ配置されている作動点３０、３２にて、第１ジョー１０及び第２ジョー１２の各個へ接続されていてもよい。ジョー組立体１００の長手方向軸Ｌに沿った作動ワイヤ２８の動作（即ち引く又は押す）が第１ジョー１０及び第２ジョー１２の開閉を生じさせることになる。例えば、両作動ワイヤ２８を一斉に押すこと（即ち遠位方向運動）は、ピボット部材１４にスロット２６内を遠位方向に滑動するように仕向け、第１ジョー１０及び第２ジョー１２を、共通のピボット軸Ｐ周りに、第１ジョー１０及び第２ジョー１２の開きを生じさせるそれぞれ反対の方向に枢動させる。代わりに、両作動ワイヤ２８を一斉に引くこと（即ち近位運動）は、ピボット部材１４にスロット２６内を近位方向に滑動するように仕向け、第１ジョー１０及び第２ジョー１２を、共通のピボット軸Ｐ周りに、第１ジョー１０及び第２ジョー１２の閉じを生じさせるそれぞれ反対の方向に枢動させる。
【００８９】
[0237]シャフト１３は、平坦部分２４の一部を中に受け入れるための、ジョー組立体１００の長手方向軸Ｌに沿って貫通して延びている開口部を備えていてもよい。作動ワイヤ２８もまた、シャフト１３を通って、作動ワイヤ２８を一斉に引いたり押したりするための適した作動ハンドル又は他の（単数又は複数の）制御器へ延びていてもよい。代わりに、作動ワイヤ２８は、シャフト１３内で終端していて、例えばシャフト１３内に含まれている油圧式、空気圧式、電気式、又は他のアクチュエータへ動作的に接続されていてもよい。幾つかの実施形態では、シャフト１３は、例えば内視鏡の作業チャネルによって画定されている比較的長く及び／又は蛇行していることもある湾曲経路に沿って生検鉗子装置を導くことを容易にするために、生検鉗子装置の側方偏向がやり易くなるよう十分に可撓性であってもよい。幾つかの実施形態では、シャフト１３は適した金属材料で作られたコイルばねを備えていてもよい。幾つかの実施形態では、シャフト１３は、例えば、ここに参考文献として援用される米国特許第６，３０９，４０４号に開示されている型式であってもよい。可撓性シース３４がシャフト１３を覆って延びていて、作動ワイヤ２８はシャフト１３及び可撓性シース３４を通って近位方向に適した制御手段まで延びていてもよい。可撓性シース３４は適したプラスチック材料で作られていてもよい。可撓性シース３４は適した手段によってシャフト１３へ固定されていてもよい。
【００９０】
[0238]ジョー組立体１００は、作動ワイヤ２８を使用して第１ジョー１０及び／又は第２ジョー１２が各個の閉位置に向けて作動されるときに、第１ジョー１０及び／又は第２ジョー１２を各個の閉位置に向けて付勢するように構成されている１つ又はそれ以上の案内を備えていてもよい。案内はここに例示されている様にスリーブ３８の形態を有していてもよいが、その様な案内は、例えばジョー組立体１００の切る性能を強化するために、第１ジョー１０及び／又は第２ジョー１２の閉じモーメントを増強するのに適する異なる形態を有することもできるものと理解している。幾つかの実施形態では、その様な案内は、作動ワイヤ２８単独によって第１ジョー１０及び／又は第２ジョー１２へ加えられる閉じモーメントを補完するように構成されている１つ又はそれ以上のショルダ面の任意の適した配列を備えていてもよい。
【００９１】
[0239]作動ワイヤ２８は、ジョー１０、１２と案内（例えばスリーブ３８）の間の相対並進運動を生じさせるように構成されていてもよい。例えば、幾つかの実施形態では、スリーブ３８は、スリーブ３８を貫いて延びている開口４０を備えていて、第１ジョー１０及び第２ジョー１２の閉じる間に第１ジョー１０及び第２ジョー１２の一部分が当該開口４０の中へ漸進的に受け入れられるようになっていてもよい。例えば、第１ジョー１０及び第２ジョー１２のアーム２０、２２それぞれはスリーブ３８内部に配置されていて、第１ジョー１０及び第２ジョー１２は、スロット２６内でのピボット部材１４の運動によって賄える長手方向運動の分だけスリーブ３８内で長手方向に動けるようになっていてもよい。第１ジョー１０と第２ジョー１２が開かれる際は、第１ジョー１０及び第２ジョー１２はスリーブ３８に対して遠位方向に並進運動することになる。代わりに、第１ジョー１０と第２ジョー１２が閉じられる際は、第１ジョー１０及び第２ジョー１２はスリーブ３８に対して近位方向に並進運動することになる。共通のピボット軸Ｐは、第１ジョー１０及び第２ジョー１２が作動されるときにはスロット２６内でのピボット部材１４の運動を通じてスリーブ３８に対して可変である位置を有することができる。
【００９２】
[0240]スリーブ３８は、第１ジョー１０及び第２ジョー１２が作動されるときは、第１ジョー１０及び第２ジョー１２の１つ又はそれ以上の半径方向外側面４４、４６とそれぞれに係合するように構成されている１つ又はそれ以上の付勢面４２を画定していてもよい。幾つかの実施形態では、付勢面４２はスリーブ３８の半径方向内側面であってもよい。例えば、幾つかの実施形態では、スリーブ３８の半径方向内側の付勢面４２によってスリーブ３８の開口４０が画定されていてもよい。付勢面４２はスリーブ３８の遠位端に又は遠位端付近に配置されていてもよい。例えば、付勢面４２はスリーブ３８の遠位リム又は遠位縁の一部であってもよい。様々な実施形態では、付勢面４２は、スリーブ３８の方形化遠位端面を備えていてもよいし、及び／又は付勢面４２は、スリーブ３８の遠位端に又は遠位端付近に、面取りされた、斜端の、及び／又は丸みの付けられた面を備えていてもよい。
【００９３】
[0241]第１ジョー１０及び第２ジョー１２が作動ワイヤ２８を介して、図１Ｇに示されている開構成から図１Ｄに示されている閉構成に向けてスリーブ３８の中へ近位方向に引かれるとき、第１ジョー１０及び第２ジョー１２を各個の閉位置に向けて付勢するために、スリーブ３８の付勢面４２は第１ジョー１０及び第２ジョー１２のそれぞれの半径方向外側面４４、４６に係合することができる。スリーブ３８の付勢面４２と第１ジョー１０及び第２ジョー１２それぞれの半径方向外側面４４、４６との摩擦係合／滑り係合が、共通のピボット軸Ｐからオフセットされたそれぞれの作動点３０、３２にて作動ワイヤ２８によって加えられる力を介して提供される第１ジョー１０及び第２ジョー１２の閉じモーメントを効果的に補完することができる。例えば、付勢面４２は、第１ジョー１０及び第２ジョー１２の総クランプ力を増強するために、作動ワイヤ２８を介して第１ジョー１０及び第２ジョー１２へ加えられる長手方向の力を第１ジョー１０及び第２ジョー１２の半径方向外側面へ直接加えられるそれぞれのクランプ力へ変換することによって第１ジョー１０及び第２ジョー１２の閉じモーメントを補完するショルダ面として働くことができる。
【００９４】
[0242]幾つかの実施形態では、スリーブ３８は、管状構成を有していて、長手方向軸Ｌに横断方向の実質的に円形の断面輪郭を有していてもよい。スリーブ３８は、長手方向軸Ｌと実質的に同軸である中心軸を有していてもよい。幾つかの実施形態では、スリーブ３８は、長手方向軸Ｌに横断方向の非円形（例えば、楕円形、多角形）の断面輪郭を有していてもよい。同様に、第１ジョー１０及び第２ジョー１２の半径方向外側面４４、４６は、第１ジョー１０と第２ジョー１２が閉じられるときに、実質的に円形、部分的に円形、又は非円形である横断面輪郭を協働的に画定することができる。
【００９５】
[0243]スリーブ３８の付勢面４２は、長手方向軸Ｌ周りに周方向に連続していてもよい。但し、スリーブ３８の又は何らかの他の型式の（単数又は複数の）案内の付勢面４２は必ずしも周方向に連続していなくてもよいものと理解している。例えば、その様な案内は、ジョー１０及び１２のそれぞれと個々に関連付けられている１つ又はそれ以上の別々の付勢面４２を備えることもできる。更に、ここに開示されているジョー組立体１００の諸態様は、第１ジョー１０と第２ジョー１２の両方の又は片方だけのクランプ力を増強するのに使用されることもあり得るものと理解している。ここに開示されている諸態様は、２つより多いジョー（例えば４つのジョー）を備えるジョー組立体の閉じ性能を強化するために使用されることもできるだろうと理解している。
【００９６】
[0244]第１ジョー１０及び第２ジョー１２は、生検鉗子装置によって採取された１つ又はそれ以上の生検試料を保持するように構成されている試料保持体積５２（図１Ｄ参照）を協働的に画定するそれぞれの内側面４８、５０を備えることができる。幾つかの実施形態では、試料保持体積５２は複数の生検試料を保持するように構成されていてもよく、そうするとジョー組立体１００は多試料生検鉗子装置の一部ということになる。幾つかの実施形態では、試料保持体積５２は５つ又はそれ以上の生検試料を保持するように構成されていてもよい。幾つかの実施形態では、試料保持体積５２は、５つから８つの間の生検試料を保持するように構成されていてもよい。幾つかの実施形態では、試料保持体積５２は８つ又はそれ以上の生検試料を保持するように構成されていてもよい。幾つかの実施形態では、試料保持体積５２の大部分は、長手方向軸Ｌと実質的に同軸である略円筒形状を有していてもよい。したがって、第１ジョー１０の内側面４８と第２ジョー１２の内側面は、それぞれ、円筒形状の一部を画定していることになる。幾つかの実施形態では、試料保持体積５２の大部分は、長手方向軸Ｌと実質的に同軸である略管状形状を有していてもよい。管状形状は、略円形の又は非円形（例えば多角形）の横断面輪郭を有していてもよい。
【００９７】
[0245]幾つかの実施形態では、試料保持体積５２は、採取の順及び向きでの生検試料の列（例えば図１６Ａ参照）を収容するように構成されていてもよい。例えば、試料保持体積５２は、長手方向軸Ｌに沿って細長くなっている形状を有していてもよい。したがって、ジョー組立体１００の構成は、患者に対する生検鉗子装置の一回の挿入と抜去で複数の生検試料を採取することを可能にすることができる。ジョー組立体１０を使用して生検試料が順次的に採取されてゆく際、試料保持体積５２に保持されている先に採取された生検試料は順々に後方へ(即ち近位方向に)試料保持体積５２の奥へ押されてゆき、採取の順及び向きでの生検試料の列が形成される。例えば、列中の採取された１番目の生検試料は試料保持体積５２の近位／後方領域に保持されるはずであり、最後（例えば８番目）の生検試料は試料保持体積５２の遠位／前方領域に保持されるはずである。幾つかの実施形態では、第１ジョー１０の内側面４８及び／又は第２ジョー１２の内側面５０は、試料把持体積５２内での生検試料の近位方向への滑走運動を支援するために潤滑性物質で被覆されていてもよい。幾つかの実施形態では、第１ジョー１０の内側面４８及び／又は第２ジョー１２の内側面５０は、比較的滑らかな表面仕上げを有していて、第１ジョー１０及び／又は第２ジョー１２からの生検試料の回収時に生検試料が引っかかる機構の無いものであってもよい。
【００９８】
[0246]患者から生検試料を採取する（例えば、引き離す、切る、挟み取る）ことは、主に、第１ジョー１０及び第２ジョー１２の遠位領域によって、遠位領域同士がジョー１０、１２の閉じる間に引き寄せられることで遂行されることになる。したがって、第１ジョー１０の面５４と第２ジョー１２の面５６の一方又は両方は、（単数又は複数の）生検試料の採取を容易にする切断エッジを備えていてもよい。幾つかの実施形態では、面５４、５６の一方又は両方は鋸歯状であってもよい。第１ジョー１０及び第２ジョー１２の長手方向軸Ｌに沿った細長い形状のせいで、及びジョー１０の遠位端とジョー１２の遠位端の間の、ピボット部材１４からの比較的大きい距離（即ちモーメントアーム）のせいで、第１ジョー１０及び／又は第２ジョー１２では、より短い単一試料ジョー組立体に比較して、ジョー１０、１２の遠位端にて所望のクランプ力を実現するのに共通のピボット軸Ｐ周りの相対的に大きい閉じモーメントが必要とされ又は所望されるであろう。したがって、ここに開示されているスリーブ３８又は他の型式の案内の使用は、多試料ジョー組立体の採取性能にとって有益であろう。
【００９９】
[0247]ジョー１０、１２のクランプ力を補完するスリーブ３８の使用は、ジョー組立体１００の比較的小さい直径サイズ又は断面サイズを促進し且つ同時に十分なクランプ力を得ることができるようにする。作動ワイヤ２８によって提供される所与の作動力について、作動点３０、３２の共通のピボット軸Ｐからの大きいオフセット距離を使用して所望の作動モーメントを実現する代わりに、より小さいオフセット距離から得られる閉じモーメントを補完する役目をスリーブ３８が、作動ワイヤ２８によって提供される長手方向の作動力の一部をジョー１０、１２側へのそれぞれのクランプ力へ変換することによって果たすようにしている。言い換えるなら、作動ワイヤ２８によって提供される所与の長手方向作動力について、スリーブ３８の使用は、幾つかの実施形態では、ジョー１０及び／又はジョー１２側の総クランプ力を増加させることを、作動点３０、３２の共通のピボット軸Ｐからのオフセット距離を増加させること無しに、ひいては生検鉗子装置のガースを著しく増加させる必要無しに、可能にすることができるのである。
【０１００】
[0248]以上に解説されている様に、第１ジョー１０と第２ジョー１２を閉じることは、第１ジョー１０及び第２ジョー１２の一部分がスリーブ３８の開口４０の中へ漸進的に受け入れられるようにジョー１０、１２を（静止の）スリーブ３８に対して近位方向に並進運動させることになる。但し、幾つかの実施形態では、その様な近位方向並進運動の量は、比較的小さいので、ジョー１０、１２を閉じる間のジョー１０、１２の組織から離れる運動はジョー組立体１００の採取性能に著しく影響を及ぼすことはないだろう。例えば、幾つかの実施形態では、開構成と閉構成の間に見られるその様な近位方向並進運動の量が約１．３ｍｍということもある。
【０１０１】
[0249]図１Ｄを参照して、第１ジョー１０及び第２ジョー１２は、第１ジョー１０及び第２ジョー１２の閉じ中の近位方向並進運動にも関わらず、ジョー組立体１００がその閉構成にあるときには試料保持体積５２が殆ど又は全体的にスリーブ３８の外（軸方向遠位）に留まることができるように構成されることができる。例えば、幾つかの実施形態では、ジョー組立体１００がその閉構成にあるとき、試料保持体積５２の少なくとも大部分がスリーブ３８の外に留まることができる。この特徴は、以下に説明されている接着性収集部材を使用したジョー組立体１００からの生検試料の回収を容易にすることができる。
【０１０２】
[0250]第１ジョー１０及び第２ジョー１２の構成は、更に、生検試料を採取し保持している間に生検試料を損傷させる及び／又は汚染する可能性を低減し又は排除することができる。例えば、幾つかの実施形態では、ジョー組立体１００は、第１ジョー１０及び／又は第２ジョー１２に保持されたときの（単数又は複数の）生検試料を機械的に固定（例えば、穿通する、引っ掛ける、串刺しにする）ための逆棘付きスパイク又は他の手段の使用を必要としないだろう。更に、ジョー組立体１００は、幾つかの実施形態では、個別の生検試料を収集するための吸引、潅注、押し出しのメカニズムの使用も貯蔵用収容器の使用も必要としないだろう。また、ジョー組立体１００は、幾つかの実施形態では、実質的にジョーの全体長さに亘って動くスリーブの使用（若しくは代わりにジョーがその様なスリーブの中へ同様に動くこと）を必要としないわけであり、仮にそうなら生検試料を損傷させるか又は生検試料の採取の向きを変えてしまう可能性もあり得る。したがって、ジョー組立体１００は、幾つかの実施形態では、その後のラボラトリ分析のために生検試料の完全性を維持することを支援することができるのである。
【０１０３】
[0251]幾つかの実施形態では、第１ジョー１０及び第２ジョー１２は実質的に同一構成を有していてもよい。幾つかの実施形態では、第１ジョー１０及び第２ジョー１２は、長手方向軸Ｌに交わり長手方向軸に平行である中央平面を跨いで実質的に対称であってもよい。例えば、第１ジョー１０の面５４と第２ジョー１２の面５６によって画定される第１ジョー１０と第２ジョー１２の間の接触界面は、全体がその様な中央平面に位置していてもよい。幾つかの実施形態では、第１ジョー１０の面５４の遠位部分は（閉構成では）中央平面内に位置していて、第１ジョー１０の面５４の近位部分は、第１ジョー１０の内側面４８の試料保持体積５２への窓４８Ａを形成するために、中央平面からオフセットしていてもよい。同様に、幾つかの実施形態では、第２ジョー１２の面５６の遠位部分は（閉構成では）中央平面内に位置していて、第１ジョー１０の面５６の近位部分は、第２ジョー１２の内側面５０の試料保持体積５２への窓５０Ａを形成するために、中央平面からオフセットしていてもよい。
【０１０４】
[0252]幾つかの実施形態では、第１ジョー１０及び第２ジョー１２の構成は、更に、各生検試料の採取の向きの保持を支援することができる。例えば、窓４８Ａ及び５０Ａの構成（例えば向き及び細長形状）は、追加の生検試料が採取されてゆく際に生検試料が試料保持体積５２内を近位方向に滑べってゆくことで生検試料の採取の向きを保持する手助けをすることになる。例えば、窓４８Ａの輪郭線及び／又は窓５０Ａの輪郭線は、採取された生検試料と接触係合して、生検試料の回転を阻止しながら、なおも生検試料の試料保持体積５２内での近位方向の滑走運動を許容することができる。窓４８Ａ、５０Ａの構成を頼りにすることに代えて又は加えて、各生検試料の採取の向きの維持を支援すするのにリブ又は溝の様な他の細長い機構が一方のジョー１０、１２の内側に設けられてもよいのではないかと理解している。
【０１０５】
[0253]図１Ｄを参照して、平坦部材２４は、金属材料で作られていて、例えば、溶接、はんだ付け、のり付け、ろう付け、クリンプ加工、プレス、又は封入（encasing）の様な適した手段によってシャフト１３へ固定されることができる。幾つかの実施形態では、平坦部材２４は、スリーブ３８へ場所Ｗ２にてレーザー溶接されていてもよい。同様に、スリーブ３８は、金属材料で作られていて、例えば、溶接、はんだ付け、のり付け、又はクリンプ加工の様な適した手段によってシャフト１３へ固定されることができる。幾つかの実施形態では、スリーブ３８はシャフト１３へ場所Ｗ１にてレーザー溶接されていてもよい。幾つかの実施形態では、スリーブ３８は、ジョー１０、１２のアーム２０、２２の運動に適応するためのスロット５８を備えることができる。
【０１０６】
[0254]第１ジョー１０及び第２ジョー１２は、それらの開構成と閉構成の間での作動が通常の意図される使用下に第１ジョー１０及び第２ジョー１２の著しい又は有意な撓みを生じさせることのないように比較的剛性であってもよい。例えば、各ジョー１０、１２は、環の一部（例えば半分）を画定している横断面輪郭（即ち長手方向軸Ｌに直角）を有していてもよい。こうして、各ジョー１０、１２の横断面積は、生検試料の採取のために閉じられてゆくときのジョー１０、１２の著しい曲げ又は屈曲を実質的に防止するのに十分に高い慣性モーメントを有することができる。第１ジョー１０及び第２ジョー１２は、適した金属材料から作られていてもよい。ジョー１０及び１２は、プレス加工（例えばシートメタルからのスタンピング）、中実ブランクからの機械加工、成形、付加製造、レーザー加工、エッチング、又は上記の何れかの組合せの様な、何れの適した手段によって製造されてもよい。ジョー１０及び１２は、比較的安価なやり方で大量生産されることができ、使い捨て装置（例えば単一患者使用装置）での使用に適するであろう。幾つかの実施形態では、ジョー１０及び１２は、プラスチック材料から又は例えば金属とプラスチック、セラミックとプラスチックの様な材料の組合せから作製されることもできる。様々な実施形態では、ジョー組立体１００の機械的配列は、ジョー１０、１２の開角度に対する何らかの制御を可能にさせるように構成されてもよい。
【０１０７】
[0255]図２Ａ−図２Ｃは、患者から１つ又はそれ以上の生検試料を採取するための生検鉗子装置の生検ジョー組立体２００の別の例示としての実施形態を描いている。以上に説明されているジョー組立体１００の幾つかの態様は、ジョー組立体２００にも適用され、その様な説明は以下では繰り返されていない。同様の符号が同様の要素を表すために使用されている。
【０１０８】
[0256]ジョー組立体１００とは対照的に、ジョー組立体２００は、使用中に一方のジョー１０、１２のみの生検試料の保持を支援するために互いとは異なる構成の第１ジョー１０と第２ジョー１２を備えることができる。その様な特徴は、ジョー１０、１２が繰り返し開閉され患者体内の異なる場所へ進められては複数の生検試料を採取してゆく際に、例えばジョー組立体２００によって採取される生検試料の列を第２ジョー１２内に保持させるようにすることができる。
【０１０９】
[0257]一方のジョー１０、１２のみの生検試料の保持を支援する機構は、ここに開示されているジョー組立体の何れかへ組み入れられることもできるし、また他の型式のジョー組立体へ組み入れられることもできるものと理解している。幾つかの実施形態では、第１ジョー１０の開窓は第２ジョー１２の開窓と異なっていて、例えば、第２ジョー１２の内側面５０は、１つ又はそれ以上の生検試料を採取後に第１ジョー１０の内側面４８ではなく第２ジョー１２の内側面５０へ接着させることを促進するために、１つ又はそれ以上の生検試料と接面するための、第１ジョー１０の内側面４８より広い接触面積を提供していてもよい。様々な実施形態では、第１ジョー１０と第２ジョー１２は、それぞれ、異なる数の窓を有していてもよく、及び／又は、第１ジョー１０と第２ジョー１２は異なるサイズの窓を有していてもよい。例えば、幾つかの実施形態では、第１ジョー１０は、第１ジョー１０の内側面４８に画定されている（単数又は複数の）窓４８Ａを有し、第２ジョー１２は、第２ジョー１２の内側面５０に画定される窓（例えば図１Ｄ及び図１Ｇの窓５０Ａ）が無いというのであってもよい。したがって、幾つかの実施形態では、第２ジョー１２がその閉位置にあるとき、第２ジョー１２の面５６は実質的に全体が、長手方向軸Ｌに交わり長手方向軸に平行である中央平面内に位置することになる。反対に、第１ジョー１０が閉位置にあるとき、第１ジョー１０の面５４の、（単数又は複数の）窓４８Ａを画定している部分は中央平面からオフセットしているだろう。
【０１１０】
[0258]幾つかの実施形態では、内側面４８と内側面５０は、窓の存在のせいで中断されていることもある実質的に円形又は非円形の断面輪郭を有する試料保持体積５２を協働的に画定することができる。例えば、第１ジョー１０の窓４８Ａの存在及び第２ジョー１２の窓の不存在に因り、第２ジョー１２の内側面５０の横断面輪郭は、第１ジョー１０の内側面４８の対応する横断面輪郭より長い弧長を有しているであろう。
【０１１１】
[0259]図３Ａ−図３Ｃは、患者から１つ又はそれ以上の生検試料を採取するための生検鉗子装置の生検ジョー組立体３００の別の例示としての実施形態を描いている。以上に説明されているジョー組立体の幾つかの態様は、ジョー組立体３００にも適用され、その様な説明は以下では繰り返されていない。同様の符号が同様の要素を表すために使用されている。
【０１１２】
[0260]ジョー組立体３００は、第１ジョー１０のアーム２０と第２ジョー１２のアーム２２の一方又は両方とそれぞれに相互作用するための、スリーブ３８へ形成された別の案内（例えば（単数又は複数の）ショルダ６０）の追加を別にすれば、ジョー組立体１００と殆ど同一であるとしてもよい。図３Ｂは、アーム２０と相互作用するための一方のショルダ６０しか示していないが、第２ジョー１２のアーム２２と相互作用するための別の直径方向に反対側のショルダ６０が提供され得るものと理解している。（単数又は複数の）ショルダ６０は、第１ジョー１０と第２ジョー１２の一方又は両方のクランプ力の増強を目的としたスリーブ３８の付勢面４２に代えて又は加えて提供されることができる。ジョー１０、１２が作動ワイヤ２８によって近位方向に引かれ、スリーブ３８の中へ漸進的に受け入れられるにつれ、ショルダ６０がアーム２０、２２と接触し、アーム２０、２２を長手方向軸Ｌに向けて付勢して、それにより作動ワイヤ２８単独によって提供される閉じモーメントを補完することができる。スリーブ３８の付勢面４２によって提供される力増強効果と同様に、ショルダ６０もまた、作動ワイヤ２８によって提供される（単数又は複数の）軸方向の力の一部を、それぞれのアーム２０、２２へ作用し及び共通のピボット軸Ｐに対して作用する半径方向内方の力へ変換することができる。この力増強効果は、一部には、ショルダ６０及びアーム２０、２２の長手方向軸Ｌに対する向き付けによって提供されるものである。図３Ａ及び図３Ｂに描かれている様に、ショルダ６０は個々のアーム２０、２２と接触するだけであり、それにより閉じ操作／閉じ行程の終盤の又は終盤近くの閉じモーメントを増強することができる。
【０１１３】
[0261]図４Ａ−図４Ｇは、患者から１つ又はそれ以上の生検試料を採取するための生検鉗子装置の生検ジョー組立体４００の別の例示としての実施形態を描いている。以上に説明されているジョー組立体の幾つかの態様は、ジョー組立体４００にも適用され、その様な説明は以下では繰り返されていない。同様の符号が同様の要素を表すために使用されている。
【０１１４】
[0262]ジョー組立体１００とは対照的に、ジョー組立体４００は、第１ジョー１０及び第２ジョー１２が平坦部材２４と滑り係合されるというのではなく、ジョー組立体１００によるスロット２６の代わりに孔６２を介してジョー１０、１２が平坦部材２４へ枢動式に連結されるように構成されることができる。ジョー１０、１２の同様の作動及びスリーブ３８によって提供される同様のクランプ力増強効果を実現するために、平坦部材２４は、代わりに、スリーブ３８の内部に滑動式に配置され、ジョー１０、１２の作動に適応するための平坦部材２４の長手方向運動がスリーブ３８に提供されているスロット６４によって案内されるようになっていてもよい。この実施形態では、スリーブ３８はシャフト１３へＷ１にて溶接されることができるが、平坦部材２４は、シャフト１３に対する平坦部材２４の長手方向運動を許容するためにシャフト１３へ溶接されていないものとする。
【０１１５】
[0263]図５Ａ−図５Ｇは、患者から１つ又はそれ以上の生検試料を採取するための生検鉗子装置の生検ジョー組立体５００の別の例示としての実施形態を描いている。以上に説明されているジョー組立体の幾つかの態様は、ジョー組立体５００にも適用され、その様な説明は以下では繰り返されていない。例えば、組立体５００もまた、スリーブ３８と第１ジョー１０及び第２ジョー１２との相互作用によって提供される、第１ジョー１０及び第２ジョー１２のクランプ力増強から恩恵を得ることができる。同様の符号が同様の要素を表すために使用されている。
【０１１６】
[0264]以上に説明されているジョー組立体とは対照的に、ジョー組立体５００は、第１ジョー１０及び第２ジョー１２が、両アーム２０及び２２それぞれへ作動点３０、３２にて連結されている単一で共通の作動ワイヤ２８によって作動されるように構成されることができる。この実施形態では、作動ワイヤ２８の遠位方向運動は両方のジョー１０、１２を開かせ、作動ワイヤ２８の近位運動は両方のジョー１０、１２を閉じさせることができる。この実施形態では、共通のピボット軸Ｐは作動点３０、３２を通過していて、ジョー１０、１２の開／閉運動はスリーブ３８へ固定されているピン６６によって案内されることができ、作動時に作動ワイヤ２８によってジョー１０、１２が長手方向に並進運動させられる際に、ピン６６とアーム２０及び２２に形成されているスロット６８及び７０それぞれとの滑り係合を介して案内される。ピン６６及び対応するスロット６８及び７０は、第１ジョー１０及び第２ジョー１２の運動を制御するためのカム／従動子配列を提供することができる。
【０１１７】
[0265]図６Ａ−図６Ｇは、患者から１つ又はそれ以上の生検試料を採取するための生検鉗子装置の生検ジョー組立体６００の別の例示としての実施形態を描いている。以上に説明されているジョー組立体の幾つかの態様は、ジョー組立体６００にも適用され、その様な説明は以下では繰り返されていない。例えば、組立体６００もまた、スリーブ３８と第１ジョー１０及び第２ジョー１２との相互作用によって提供される、第１ジョー１０及び第２ジョー１２のクランプ力増強から恩恵を得ることができる。同様の符号が同様の要素を表すために使用されている。
【０１１８】
[0266]ジョー組立体５００の様に、ジョー組立体６００もまた、第１ジョー１０及び第２ジョー１２が、両アーム２０、２２それぞれへ作動点３０、３２にて連結されている単一で共通の作動ワイヤ２８によって作動されるように構成されることができる。この実施形態では、ジョー１０、１２の開／閉運動はスリーブ３８へ固定されているピン６６によって案内されることができ、作動時に作動ワイヤ２８によってジョー１０、１２が長手方向に並進運動させられる際に、ピン６６とアーム２０及び２２側に形成されている面７２、７４それぞれとの滑り係合を介して案内される。ピン６６と対応する面６８及び７０は、第１ジョー１０及び第２ジョー１２の運動を制御するためのカム／従動子配列を提供することができる。
【０１１９】
[0267]図７Ａ−図７Ｇは、患者から１つ又はそれ以上の生検試料を採取するための生検鉗子装置の生検ジョー組立体７００の別の例示としての実施形態を描いている。以上に説明されているジョー組立体の幾つかの態様は、ジョー組立体７００にも適用され、その様な説明は以下では繰り返されていない。例えば、組立体７００もまた、スリーブ３８と第１ジョー１０及び第２ジョー１２との相互作用によって提供される、第１ジョー１０及び第２ジョー１２のクランプ力増強から恩恵を得ることができる。同様の符号が同様の要素を表すために使用されている。
【０１２０】
[0268]ジョー組立体１００とは対照的に、ジョー組立体７００は、第１ジョー１０及び第２ジョー１２が平坦部材２４（図１Ｂ参照）と滑り係合されるというのではなく、代わりに、ジョー１０、１２は、ピボット部材１４とスリーブ３８に形成されているスロット７５又は他の適した手段を介してスリーブ３８と滑り係合されることができる。例えば、第１ジョー１０及び第２ジョー１２は、共通のピボット部材１４へ枢動式に連結されていて、ジョー１０、１２が（単数又は複数の）作動ワイヤ２８を介して作動されるときに共通のピボット部材１４がスリーブ３８に対して並進運動できるように、ピボット部材１４の互いに反対側の端が直径方向に対向するスロット７５と係合されるようになっていてもよい。共通のピボット部材１４は、第１ジョー１０のアーム２０及び第２ジョー１２のアーム２２との間に配置されるワッシャ７１を通って延びていてもよい。様々な実施形態では、スロット７５は、スリーブ３８の壁を部分的に又は完全に貫いて延びていてもよい。スロット７５がスリーブ３８の壁を完全に貫いて延びている場合は、共通のピボット部材１４は、例えば、適した保持クリップ（図示せず）によって、又はジョー１０、１２のアーム２０、２２の一方との押圧嵌めによって、又はワッシャ７１との押圧嵌めによって、所定位置に保持されることができる。様々な実施形態では、スロット７５は、スリーブ３８の半径方向内側面に形成されていて、共通のピボット部材１４のスリーブ３８に対する長手方向軸Ｌに沿った並進運動を案内するために共通のピボット部材１４との係合のための１つ又はそれ以上の溝、軌道、及び／又はレールを画定していてもよい。様々な実施形態では、ジョー１０、１２が開かれてゆき、その様な開く間に必然的に共通のピボット部材１４が遠位方向に動かされてゆくときに、共通のピボット部材１４の遠位方向並進運動を制止する遠位端又は他の適した手段を、スロット７５はそれぞれ備えていてもよい。スロット７５のその様な遠位端は、ジョー１０、１２が一杯に開かれたときのジョー１０、１２のスリーブ３８に対する最大遠位位置を画定することになる。幾つかの実施形態では、ジョー組立体７００はジョー１０、１２の両アーム２０、２２へそれぞれのリンク７３を介して動作的に連結されている単一の作動ワイヤ２８を備えていてもよい。
【０１２１】
[0269]図８Ａ−図８Ｇは、患者から１つ又はそれ以上の生検試料を採取するための生検鉗子装置の生検ジョー組立体８００の別の例示としての実施形態を描いている。以上に説明されているジョー組立体の幾つかの態様は、ジョー組立体８００にも適用され、その様な説明は以下では繰り返されていない。例えば、組立体８００もまた、スリーブ３８と第１ジョー１０及び第２ジョー１２との相互作用によって提供される、第１ジョー１０及び第２ジョー１２のクランプ力増強から恩恵を得ることができる。同様の符号が同様の要素を表すために使用されている。
【０１２２】
[0270]ジョー組立体７００と同様、ジョー組立体８００も、共通のピボット部材１４の互いに反対側の端との滑動係合のための、スリーブ３８に形成された直径方向に対向するスロット７５を備えることができる。単一の作動ワイヤ２８の代わりに、ジョー組立体８００は第１ジョー１０及び第２ジョー１２と個々に関連付けられている別々の作動ワイヤ２８を備えていてもよい。作動ワイヤ２８は、ジョー１０、１２の開閉を生じさせるように一斉に作動させられるようになっていてもよい。この実施形態では、ジョー１０及び１２は、共通のピボット部材１４へ、孔１６、１８を介してそれぞれ枢動式に連結されていてもよい。幾つかの実施形態では、共通のピボット部材１４は、ジョー組立体７００に関して以上に説明されているやり方で保持されていてもよい。
【０１２３】
[0271]図９Ａ−図９Ｇは、患者から１つ又はそれ以上の生検試料を採取するための生検鉗子装置の生検ジョー組立体９００の別の例示としての実施形態を描いている。以上に説明されているジョー組立体の幾つかの態様は、ジョー組立体９００にも適用され、その様な説明は以下では繰り返されていない。同様の符号が同様の要素を表すために使用されている。
【０１２４】
[0272]ジョー組立体９００の作動メカニズムは、上記ジョー組立体１００のそれと同様である。但し、ジョー組立体１００とは対照的に、ジョー組立体９００は、ジョー組立体のサイズ縮小（即ちスリム化）を促進するべく、ジョー組立体１００の外径と同等又はそれより小さい外径を有しているスリーブ３８を有することができる。例えば、幾つかの実施形態では、スリーブ３８の外径は、各個の閉位置にあるときのジョー１０、１２によって画定される外径と実質的に同じか又はそれより小さくてもよい。具体的には、スリーブ３８は、第１ジョー１０と第２ジョー１２が閉じられたときに第１ジョー１０及び第２ジョー１２によって協働的に画定される最大半径方向外側寸法と同じか又はそれより小さい最大半径方向外側寸法を画定していてもよい。
【０１２５】
[0273]平坦部材２４は、Ｗ２での溶接（例えば重ね溶接）によって又は他の適した手段によってスリーブ３８へ固定されることができる。１つかの実施形態では、ジョー１０及び１２は、共通のピボット部材１４とスロット２６との係合を介して、平坦部材２４へ枢動式に取り付けられていてもよい。平坦部材２４をスリーブ３８へ溶接するか又はそれ以外のやり方で固定する段階に先立って、ジョー１０、１２及び平坦部材２４を備える組立体がスリーブ３８の中へユニットとして挿入されることになる。スリーブ３８は、Ｗ１での溶接（例えば重ね溶接）によって、又は、例えばクリンプ加工、締結、はんだ付け、ろう付け、のり付け、又は押圧嵌めの様な他の適した手段によって、シャフト１３へ固定されることができる。
【０１２６】
[0274]幾つかの実施形態では、ジョー１０及び１２の長手方向軸Ｌに沿ってスリーブ３８を出入りする並進運動を可能にさせるために、ジョー１０及び１２はスリーブ３８の開口４０に受け入れられるように構成されている縮小された外径の近位部分４４Ｂを備えていてもよい。図９Ｂ及び図９Ｃを参照して、第１ジョー１０は、半径方向外側面４４であって、それの長手方向軸Ｌに関して異なる半径方向外側寸法を有する２つの領域の間に延びる移行面部分４４Ａを有する半径方向外側面４４を備えていてもよい。例えば、移行面部分４４Ａは、第１ジョー１０の半径方向により狭い近位部分４４Ｂと第１ジョー１０の半径方向により広い遠位部分４４Ｃの間の半径方向移行部を提供することができる。第２ジョー１２も図９Ｂ及び図９Ｃに示されているように構成され、それ自身の移行面部分を備えることができるものと理解している。
【０１２７】
[0275]図９Ｂは、移行面部分４４Ａが長手方向軸Ｌに対して斜めである移行面部分４４Ａの１つの例示としての実施形態を描いている。図９Ｃは、移行面部分４４Ａが実質的に長手方向軸Ｌに横断方向である移行面部分４４Ａの別の例示としての実施形態を描いている。ジョー１０、１２の閉じる間、スリーブ３８の（単数又は複数の）付勢面４２が移行面部分４４Ａに係合して、ジョー１０、１２の閉じ運動の終盤近くに又は終盤にてジョー１０、１２によって加えられるクランプ力を補完することができる。
【０１２８】
[0276]幾つかの実施形態では、移行面部分４４Ａが、必ずしも、半径方向外側面４４の長手方向軸Ｌに関して異なる半径方向外側寸法を有する２つの領域の間にあるとは限らない。図９Ｃ及び図９Ｄは、それぞれ、移行面部分４４Ａがジョー１０の半径方向により広い遠位部分４４Ｃから半径方向内方に延びてはいるが、移行面部分４４Ａは必ずしも半径方向により狭い近位部分４４Ｂへ接続されているわけではない実施形態を描いている。したがって、ジョー１０の半径方向により狭い近位部分４４Ｂはクランプ力を補完することが必須というわけではない。
【０１２９】
[0277]図１０Ａ−図１０Ｇは、患者から１つ又はそれ以上の生検試料を採取するための生検鉗子装置の生検ジョー組立体１０００の別の例示としての実施形態を描いている。以上に説明されているジョー組立体の幾つかの態様は、ジョー組立体１０００にも適用され、その様な説明は以下では繰り返されていない。例えば、組立体１０００もまた、スリーブ３８と第１ジョー１０及び第２ジョー１２との相互作用によって提供される、第１ジョー１０及び第２ジョー１２のクランプ力増強から恩恵を得ることができる。同様の符号が同様の要素を表すために使用されている。ここに開示されている生検ジョー組立体の様々な実施形態では、ジョー１０、１２の面５４、５６の一方又は両方は、例えば図１０Ａ−図１０Ｇに描かれている様に鋸歯状であってもよいと理解している。
【０１３０】
[0278]ジョー組立体１０００は、ジョー１０、１２のそれぞれと関連付けられていてスリーブ３８へ固定されている別々の案内ピン６６を備えることができる。各案内ピン６６は、ジョー１０、１２が作動中にそれぞれの作動ワイヤ２８によって長手方向に並進運動させられる際に、ジョー１０、１２に形成されているそれぞれのスロット６８及び７０とのピン６６の滑り係合を介して、個々のジョー１０、１２の開／閉運動を案内することができる。案内ピン６６は、ジョー１０、１２の作動中のジョー１０、１２の長手方向軸Ｌに沿った運動を制限するように構成されていてもよい。案内ピン６６同士は、ピン６６の互いに反対側の端がスリーブ３８と係合されているときは実質的に平行であってもよい。案内ピン６６及び対応するスロット６８及び７０は、第１ジョー１０及び第２ジョー１２の運動を制御するためのカム／従動子配列を提供することができる。図１０Ｄ及び図１０Ｇに描かれている様に、共通のピボット軸Ｐの位置は、ジョー１０、１２が作動されるにつれスリーブ３８に対して（例えば長手方向軸Ｌに沿って）変化してゆくことになる。
【０１３１】
[0279]幾つかの実施形態では、ジョー組立体１０００の第１ジョー１０は１つ又はそれ以上の揺動面７６を備え、第２ジョー１２は１つ又はそれ以上の対応する揺動面７８を備えることができる。ジョー１０、１２の枢動運動中、揺動面７６は揺動面７８と接面し、ジョー１０、１２の運動を案内することができる。揺動面７６、７８は、図１０Ｄ及び図１０Ｇの向きから見て弓状又は凸状をしていてもよい。共通のピボット軸Ｐは揺動面７６、７８の間の接触界面に配置されることになる。ジョー１０、１２の作動中に対向する揺動面７６と７８の間の接触界面（例えば２つの接点）が動くと、共通のピボット軸Ｐもまた図１０Ｄ及び図１０Ｇに示されている様に長手方向軸Ｌに沿って動く。
【０１３２】
[0280]案内ピン６６の互いに反対側の端は、例えば場所Ｗ３（図１０Ａ参照）での溶接（例えばレーザー溶接）によってスリーブ３８へ固定されることができる。幾つかの実施形態では、ジョー組立体１０００の配列は、スリーブ３８における、先の実施形態に示されているスロット５８及び７５の様な比較的広い開口部の必要性を低減し又は排除することができる。スリーブ３８におけるその様な開口部の不在は、ワイヤがその様な開口部を介してスリーブ３８から外へ突き出る可能性を排除し、その結果、患者及び操作者の安全性が促進され、内視鏡を損傷させる危険性も小さくなる。
【０１３３】
[0281]幾つかの実施形態では、ジョー組立体１０００の配列は、ジョー組立体１０００の良好な採取性能を促進するうえで、ジョー１０、１２の閉じる間のジョー１０、１２の比較的短い近位方向運動を容易にすることができる。ジョー組立体１０００の配列は、更に、一部の他の実施形態に対比して部品の曲げの厳正さを軽減することによって、幾つかの実施形態でのプレス加工による製造を容易にすることができる。
【０１３４】
[0282]図１１Ａ−図１１Ｇは、患者から１つ又はそれ以上の生検試料を採取するための生検鉗子装置の生検ジョー組立体１１００の別の例示としての実施形態を描いている。以上に説明されているジョー組立体の幾つかの態様は、ジョー組立体１１００にも適用され、その様な説明は以下では繰り返されていない。例えば、組立体１１００もまた、スリーブ３８と第１ジョー１０及び第２ジョー１２との相互作用によって提供される、第１ジョー１０及び第２ジョー１２のクランプ力増強から恩恵を得ることができる。同様の符号が同様の要素を表すために使用されている。
【０１３５】
[0283]ジョー組立体１１００は、第１ジョー１０及び第２ジョー１２がそれぞれの孔１６及び１８を介して滑り係合される単一で共通の案内ピン８０を備えることができる。共通の案内ピン８０は、概して、ジョー１０、１２の作動中のジョー１０、１２の運動の平面内に向き付けられていてもよい。例えば、共通の案内ピン８０の長手方向軸８０Ａは共通のピボット軸Ｐに横断方向であってもよい。
【０１３６】
[0284]案内ピン８０の両端は、スロット５８との係合によって、及び例えば場所Ｗ３（図１１Ａ参照）での溶接（例えばレーザー溶接）によって、スリーブ３８へ固定されることができる。幾つかの実施形態では、ジョー組立体１１００の配列もまた、先の実施形態に示されているスリーブ３８における比較的広い開口部の必要性を低減し又は排除することができる。スリーブ３８におけるその様な開口部の不在は、ワイヤがその様な開口部を介してスリーブ３８から外へ突き出る可能性を排除し、その結果、患者及び操作者の安全性が促進され、内視鏡を損傷させる危険性も小さくなる。
【０１３７】
[0285]共通の案内ピン８０は、ジョー１０、１２の作動中の長手方向軸Ｌ又はスリーブ３８の中心軸に沿ったジョー１０、１２の運動を制限するように構成されることができる。共通の案内ピン８０は作動中にジョー１０、１２を安定させ整列を促すように構成されることができる。共通の案内ピン８０は矩形バーを備えていてもよい。例えば、共通の案内ピン８０は、その長手方向軸８０Ａに横断方向に矩形の断面輪郭を有していてもよい。横断面輪郭の長手方向軸Ｌに沿った寸法は、横断面輪郭の長手方向軸Ｌに横断方向の寸法より大きくてもよい。
【０１３８】
[0286]ジョー組立体１０００と同様、ジョー組立体１１００のジョー１０は１つ又はそれ以上の揺動面７６を備え、ジョー１２は１つ又はそれ以上の揺動面７８を備えることができる。ジョー１０、１２の枢動運動中、揺動面７６は揺動面７８と接面し、ジョー１０、１２の運動を案内することができる。共通のピボット軸Ｐは揺動面７６、７８の間の接触界面に配置されることになる。ジョー１０、１２の作動中に対向する揺動面７６と７８の間の接触界面（例えば２つの接点）が動くと、共通のピボット軸Ｐもまた図１１Ｄ及び図１１Ｇに示されている様に長手方向軸Ｌに沿って動く。
【０１３９】
[0287]ジョー組立体１１００の配列は、更に、例えばジョー組立体１０００に比較して、より少ない数の部品を有していることによって製造を容易にすることができる。ジョー組立体１１００の配列は、更に、主ピボットピンのリベット締め又はアイレット作成の必要性を排除することができる。
【０１４０】
[0288]図１２Ａ−図１２Ｇは、患者から１つ又はそれ以上の生検試料を採取するための生検鉗子装置の生検ジョー組立体１２００の別の例示としての実施形態を示している。図１２Ｈ−図１２Ｊはジョー組立体１２００の一部である案内インサート８２を描いている。以上に説明されているジョー組立体の幾つかの態様は、ジョー組立体１２００にも適用され、その様な説明は以下では繰り返されていない。例えば、組立体１２００もまた、スリーブ３８と第１ジョー１０及び第２ジョー１２との相互作用によって提供される、第１ジョー１０及び第２ジョー１２のクランプ力増強から恩恵を得ることができる。同様の符号が同様の要素を表すために使用されている。
【０１４１】
[0289]ジョー組立体１２００は、第１ジョー１０及び第２ジョー１２がそれぞれの孔１６及び１８を介して滑り係合される案内インサート８２を備えることができる。案内インサート８２は、作動中の第１ジョー１０及び第２ジョー１２の運動を案内することに関して以上に説明されているジョー組立体１１００の共通の案内ピン８０と同様に機能することができる。幾つかの実施形態では、案内インサート８２は適したプラスチック材料から成形されることができる。幾つかの実施形態では、案内インサート８２は単一体構造を有するように一体形成（例えば１つの部片として成形）されることができる。案内インサート８２は、組み立てを容易にするためにスリーブ３８の中へ弾性的に挿入され、１つ又はそれ以上のスリーブ機構との係合によりスリーブ３８へ固定されることができる。例えば、図１２Ｈ−図１２Ｊを参照して、案内インサート８２は、１つ又はそれ以上の対応するスロット５８（図１２Ｂ参照）又はスリーブ３８に形成されている他の適した受け器と係合するための１つ又はそれ以上の弾性機構８４を備えていてもよい。共通のピボット軸Ｐは揺動面７６と７８の間の接触界面に配置されることになる。
【０１４２】
[0290]図１２Ｊを参照して、弾性機構８４は、長手方向軸Ｌ又はスリーブ３８の中心軸に関して半径方向に互いに反対の関係に配置されていてもよい。弾性機構８４は、個々の弾性機構８４へ半径方向内方の力（矢印Ｒを参照）が加えられると、長手方向軸Ｌに関して半径方向内方の方向に弾性的に可動であるタブを備えていてもよい。案内インサート８２は、１つ又はそれ以上の弾性機構８４の弾性的で半径方向内方の運動を容易にするために１つ又はそれ以上のカットアウト８６を備えていてもよい。案内インサート８２は、第１ジョー１０及び／又は第２ジョー１２の開き運動を制限するための１つ又はそれ以上のストッパ８８を備えていてもよい。案内インサート８２は、第１ジョー１０及び第２ジョー１２によって協働的に画定される試料保持体積５２（図１２Ｄ参照）の近位端を画定する面９０を備えていてもよい。
【０１４３】
[0291]案内インサート８２の構成は、案内インサート８２の、開口４０（図１２Ｂ参照）を経てのスリーブ３８への挿入を容易にすることによって、そして更には弾性機構８４とそれぞれのスロット５８との係合による、案内インサート８２のスリーブ３８との固定を容易にすることによって、ジョー組立体１２００の組み立てを捗らせることができる。例えば、弾性機構８４の位置での案内インサート８２の外径寸法は、初期にはスリーブ３８の内径より僅かに大きくてもよく、その結果、案内インサート８２のスリーブ３８内への挿入は、弾性機構８４にスリーブ３８の内部表面に摩擦的に係合し内部表面に押し付けられて滑りながら半径方向内方に弾性的に撓むよう強いることになる。案内インサート８２はスリーブ３８の中へ開口４０を経て挿入され、長手方向軸Ｌに沿って近位方向に押されることができる（例えば、図１２Ｊの矢印Ｆ参照）。各弾性機構８４が対応する形状の各個のスロット５８と整列されると、弾性機構８４は半径方向外方に自身の元の撓んでいない形状／位置に向けて戻り、スロット５８を埋めてスロット５８と係合された状態になり、それにより案内インサート８２をスリーブ３８の中へ固定し又はロックすることができる。別の言い方をすれば、各弾性機構８４は、その元の撓んでいない形状に向けて跳ね戻り、スリーブ３８に形成されている各個のスロット５８の中へカチッと嵌って、能動的ロック配列を提供することによって案内インサート８２をスリーブ３８と共に固定することができるのである。案内インサート８２の使用は更に、案内インサート８２をスリーブ３８と共に溶接することを必要としないことによってジョー組立体１２００の組み立てを容易にすることができる。
【０１４４】
[0292]案内インサート８２のストッパ８８が、第１ジョー１０と第２ジョー１２の１つ又はそれ以上の開き運動を制限する働きをすることができる。図１２Ｇに描かれている様に、各ストッパ８８は、第１ジョー１０及び第２ジョー１２それぞれのアーム２０、２２に係合して、ジョー組立体１２００の作動時の第１ジョー１０及び第２ジョー１２それぞれの開き運動を制限するための硬質ストッパとして働くように構成されていてもよい。別の言い方をするなら、各ストッパ８８は、第１ジョー１０及び第２ジョー１２それぞれのアーム２０、２２の運動に干渉する働きをすることができるわけである。
【０１４５】
[0293]案内インサート８２の面９０は、図１２Ｄに示されている様に第１ジョー１０及び第２ジョー１２によって協働的に画定される試料保持体積の近位端を画定することができる。面９０は、連続して収集された生検試料が第１ジョー１０及び第２ジョー１２に対して近位方向にあまりに遠くまで進んでしまってジョー組立体１２００の可動構成要素に捕らえられかねない又は可動構成要素に干渉しかねない事態を防ぐことができる。幾つかの実施形態では、面９０は長手方向軸Ｌに沿って見たときに概ね円形の形状を有していてもよい。様々な実施形態では、案内インサート８２は、面９０に加えて又は代えて、スパイク、フォーク、プッシャー、又は１つ又はそれ以上の生検試料と係合するための他の手段を備えることもできる。
【０１４６】
[0294]図１３Ａ−図１３Ｄは、内視鏡手術道具のためのエンドエフェクタジョー組立体１３００の或る例示としての実施形態を描いている。以上に説明されているジョー組立体の幾つかの態様は、ジョー組立体１３００にも適用され、その様な説明は以下では繰り返されていない。示されている例示としての実施形態では、ジョー組立体１３００の作動メカニズムは、概して、以上に説明されているジョー組立体１００のそれに類似している。同様の符号が同様の要素を表すために使用されている。
【０１４７】
[0295]以上に説明されている生検試料を採取するように構成されているジョー１０、１２の代わりに、ジョー組立体１３００の第１ジョー１０及び第２ジョー１２は、ここに開示されているジョー組立体の態様が生検鉗子装置に限定されないことを例証することを目的に、協働するシザーブレードとされている。例えば、ここに開示されているジョー組立体の実施形態によってもたらされるクランプ力増強及び他の（単数又は複数の）恩恵は、手術道具及び／又は内視鏡検査道具の様な他の型式の器具にも適用可能であり得る。以上に解説されている様に、この開示の諸態様は、手術用のクリップアプライヤー、シザース、グラバー、リトリーバー、縫合装置、パンチ、及びこれらの道具の何れかの組合せの様な、他の道具に適用可能であり得る。
【０１４８】
[0296]図１４Ａは、クランプ力Ｆｃへのスリーブ３８の効果を第１ジョー１０及び第２ジョー１２の開角度θの関数として例証するべく、クランプ力Ｆｃ対開角度θの例示としてのグラフを示しており、図１４Ｂは、スリーブ３８の一部がその内部を露出させるために破断されているジョー組立体１００の拡大表現を示している。以上に解説されている様に、スリーブ３８と第１ジョー１０及び第２ジョー１２との相互作用は、作動ワイヤ２８によって、共通のピボット軸Ｐからオフセットされているそれぞれの作動点３０、３２にて加えられる力を介して提供される第１ジョー１０及び第２ジョー１２の閉じモーメントを補完することができる。図１４Ａは、作動ワイヤ２８単独（即ちスリーブ３８無し）によって得られるクランプ力Ｆｃと作動ワイヤ２８単独からのクランプ力を補完するべくスリーブ３８を使用して得られるクランプ力Ｆｃの差を例証している。図１４Ａは、ジョー１０、１２がそれらの閉構成（即ち、より低い開角度）へ近づくにつれ、スリーブ３８がクランプ力の著しい増加をもたらしていることを示している。スリーブ３８は、ここに開示されているジョー組立体の他の実施形態でのクランプ力を補完することもできるものと理解している。
【０１４９】
[0297]図１４Ｂの命名法に関し、クランプ力Ｆｃは、Ｆｃ＝Ｆｃ１＋Ｆｃ２によって表され、ここに、Ｆｃは総クランプ力であり、Ｆｃ１は第１ジョー１０のクランプ力であり、Ｆｃ２は第２ジョー１２のクランプ力である。作動ワイヤ２８へ加えられる力は、ＦＡ＝ＦＡ１＋ＦＡ２として表され、ここに、ＦＡはジョー１０、１２を閉じるための作動ワイヤ２８へ加えられる総力であり、ＦＡ１はジョー１０へ連結されている作動ワイヤ２８へ加えられる力であり、ＦＡ２はジョー１２へ連結されている作動ワイヤ２８へ加えられる力である。ジョー１０、１２の開角度はθによって表されている。図１４Ａのグラフは、次のパラメータ、即ち、寸法Ａ＝７０ｍｍ、寸法Ｂ＝１．３０ｍｍ、寸法Ｄ＝０．３１７ｍｍ、寸法Ｌ＝１０ｍｍ、及びＦＡ１＝ＦＡ２＝５ｌｂｓ（２２．２Ｎ）を有する例示としてのジョー組立体１００について、クランプ力Ｆｃを開角度θの関数として示している。
【０１５０】
[0298]図１５Ａ及び図１５Ｂは、１つ又はそれ以上の生検試料１０４を採取するためのキット１０２の斜視図を示している。キット１０２は生検鉗子装置１０６と収集部材１０８を備えることができる。生検鉗子装置１０６は、ここに開示されている実施形態の何れか１つによるジョー組立体を備えていてもよいし、又は他の型式のジョー組立体を備えていてもよい。以上に説明されている実施形態によれば、生検鉗子装置１０６は、１つ又はそれ以上の生検試料１０４を協働的に採取し保持するように構成されている第１ジョー１０及び第２ジョー１２を備えることができる。収集部材１０８は、１つ又はそれ以上の生検試料１０４を生検鉗子装置１０６から収集（回収）するために、図１５Ｂに示されている様に生検鉗子装置１０６のジョー１０と１２の間に受け入れられることができるようになっていてもよい。収集部材１０８は、生検試料１０４と接触して生検鉗子装置１０６のジョー１０と１２の間からの収集部材１０８の抜去に際し生検鉗子装置１０６からの生検試料１０４の収集を可能にさせるための接着性部分１１０、を備えることができる。
【０１５１】
[0299]幾つかの実施形態では、生検鉗子装置１０６のジョー１０、１２は、採取された生検試料１０４全てを、例えばジョー組立体２００（図２Ａ−図２Ｃ参照）の様な同じジョーに保持するように構成されている型式であってもよい。生検鉗子装置１０６のジョー１０、１２は、患者から採取された順と向きでの生検試料１０４の列を保持するように構成されることができる。したがって、接着性部分１１０は、収集部材１０８の一方の面だけに配置されていてもよい。生検試料１０４が生検鉗子装置１０６の両方のジョー１０、１２へ接着されるという幾つかの実施形態では、接着性部分１１０を収集部材１０８の両面に有しているのが望ましいであろう。幾つかの実施形態では、臨床家又は助手にとっては、収集部材１０８の両面に接着性部分１１０を有していれば、収集部材のどちららの面が接着性でどちらの面がそうでないかを判断する必要が無くなるので好都合であろう。
【０１５２】
[0300]様々な実施形態では、収集部材１０８は、シート構成又は板構成を有することができる。様々な実施形態では、収集部材１０８は実質的に平坦であっても実質的に湾曲（例えば凹状又は凸状）であってもよいし、又は平坦と湾曲の組合せであってもよい。幾つかの実施形態では、収集部材１０８は病理処理カートリッジに適合する形状をしていてもよい。幾つかの実施形態では、収集部材１０８は、生検鉗子装置１０６の（単数又は複数の）部分を受け入れるように、そして生検鉗子装置１０６のジョー１０、１２を、それらの間に収集部材１０８を配置させた状態で、少なくとも部分的に閉じさせるように、適合されているカットアウト１１２を含んでいてもよい。
【０１５３】
[0301]生検鉗子装置１０６のジョー１０、１２が収集部材１０８上へ閉じられ、開かれ、そして収集部材１０８から離されたら、生検試料１０４を生検鉗子装置１０６から回収できているように、接着性部分１１０は、生検試料１０４と接触し、接着性部分１１０へ生検試料１０４を接着させるように構成されることができる。幾つかの実施形態では、接着性部分１１０は化学的結合剤を備えることができる。例えば、接着性部分１１０は、湿分、光、熱、又は他の手段によって活性化され得る適したエポキシを備えていてもよい。例えば、接着性部分１１０は、生検試料１０４中に含まれる湿分によって活性化され得る適したエポキシを備えていてもよい。幾つかの実施形態では、接着性部分１１０はシアノアクリレートエポキシを備えていてもよい。幾つかの実施形態では、接着性部分１１０は、例えばシアノアクリレート接着剤の様な適した接着剤（例えばグルー）を備えていてもよい。幾つかの実施形態では、接着性部分１１０は、１つ又はそれ以上の生検試料の接着を、凍結結合を通じて生じさせるように構成されていてもよい。幾つかの実施形態では、接着性部分１１０は、１つ又はそれ以上の生検試料の接着を、乾燥結合を通じて生じさせるように構成されていてもよい。幾つかの実施形態では、接着性部分１１０は、生検試料１０４中に含まれる湿分によって活性化される親水性物質（例えばゼラチン）を備えていてもよい。
【０１５４】
[0302]幾つかの実施形態では、接着性部分１１０は機械的結合剤を備えることができる。例えば、接着性部分１１０は、適した表面テクスチャ、織目、穿孔、スパイク、フック、逆棘、ディボット、スロット、窓、スリット、及び／又は、格子パターンに配列された他の試料接着機構、を備えることができる。幾つかの実施形態では、接着性部分１１０は複数の試料接着機構のアレイを備えていてもよい。幾つかの実施形態では、収集部材１０８及び接着性部分１１０は、収集部材１０８の多少の弾性的な曲がりを許容するように可撓性であって、その様な曲がりによって何れかの（単数又は複数の）機構（例えばスリット）を開かせ／閉じさせ、生検試料１０４を掴ませるようになっていてもよい。幾つかの実施形態では、接着性部分１１０は、生検試料１０４の収集部材１０８への接着を毛管作用によって生じさせるように構成されていてもよい。例えば、接着性部分１１０は、毛管作用によるその様な接着を容易にするためにそれに形成されている機構（例えば、細孔、キャビティ、クレバス）を備えていてもよい。
【０１５５】
[0303]幾つかの実施形態では、接着性部分１１０は２つ又はそれ以上の種類の結合剤の組合せを備えていてもよい。例えば、接着性部分１１０は、機械的結合剤と化学的結合剤を備えることもできるだろう。
【０１５６】
[0304]幾つかの実施形態では、接着性部分１１０は、生検試料１０４の収集部材１０８への静電結合を生じさせるように構成されることができる。幾つかの実施形態では、接着性部分１１０は、生検試料１０４の収集部材１０８への凝固（例えば、電気凝固及び／又は熱凝固）結合を生じさせるように構成されていてもよい。例えば、接着性部分１１０に接触させそれにより接着性部分１１０への接着を生じさせるときに生検試料の一部の凍結、乾燥、及び／又は凝固を生じさせるために、試料収集時に生検試料１０４の温度とは異なる温度の収集部材１０８を有することによって、生検試料１０４の収集部材１０８上への熱的活性化による接着（即ち熱的結合）を実現させることもできるだろう。
【０１５７】
[0305]幾つかの実施形態では、接着性部分１１０は、生検試料１０４の収集部材１０８への接着を表面張力によって生じさせるように構成されることができる。幾つかの実施形態では、接着性部分１１０に形成されている穿孔が、真空源１１４源と連通する真空ポートとして働くことができる。
【０１５８】
[0306]図１６Ａ−図１６Ｃは、生検鉗子装置１０６から生検試料１０４を収集するための方法において、生検試料１０４が生検鉗子装置１０６の上側のジョー１０に保持されている場合の方法を図画的に説明している。同様に、図１７Ａ−図１７Ｃは、生検鉗子装置１０６から生検試料１０４を収集するための方法において、生検試料１０４が生検鉗子装置１０６の下側のジョー１２に保持されている場合の方法を図画的に説明している。
【０１５９】
[0307]図１８Ａ及び図１８Ｂは、１つ又はそれ以上の生検試料１０４を採取するための別のキット１０２の斜視図を示している。キット１０２は生検鉗子装置１０６及び収集部材１０８を備えることができる。幾つかの実施形態では、収集部材１０８は、１つ又はそれ以上の生検試料１０４の収集中に生検鉗子装置１０６の配置（例えば、位置及び／又は向き）を拘束するための、生検鉗子装置１０６の（単数又は複数の）部分と協働する１つ又はそれ以上の案内１１６を備えることができる。幾つかの実施形態では、案内１１６は、第１ジョー１０又は第２ジョー１２を通して受け入れるための開口部１１８を画定していてもよい。開口部１１８は、生検鉗子装置１０６の向きを拘束するために、開口部１１８に通して受け入れられる第１ジョー１０又は第２ジョー１２の横断面輪郭の少なくとも一部（例えば大部分）に実質的に一致する形状を有していてもよい。例えば、収集部材１０８が管状構成を有し、案内１１６によって画定される開口部１１８が管状収集部材１０８のルーメンへの開口部になっていて、そこに第１ジョー１０又は第２ジョー１２が１つ又はそれ以上の生検試料１０４の収集中に受け入れられるようになっていてもよい。幾つかの実施形態では、開口部１１８は、第１ジョー１０又は第２ジョー１２の同様のＤ形状の対応する横断面輪郭よりもわずかに大きいＤ形状輪郭を有していてもよい。
【０１６０】
[0308]図１８Ｂに示されている様に第１ジョー１０が開口部１１８に通して受け入れられたときに接着性部分１１０が第２ジョー１２の中に配置されている１つ又はそれ以上の生検試料１０４に接触するべく配置されることができるように、接着性部分１１０は管状収集部材１０８の外壁に配置されていてもよい。案内１１６の使用は、生検試料１０４の採取された通りの順を保持しながらに操作者による生検鉗子装置１０６からの生検試料１０４の取り出しを容易にすることができる。
【０１６１】
[0309]図１９Ａ−図１９Ｃは、生検鉗子装置１０６から生検試料１０４を収集するための方法において、生検試料１０４が生検鉗子装置１０６の下側のジョー１２に保持されている場合の方法を図画的に説明している。
【０１６２】
[0310]図２０は、生検試料１０４が生検鉗子装置１０６から収集された後の図１８Ａ及び図１８Ｂの収集部材１０８であって、生検試料１０４が収集部材１０８の接着性部分１１０によって保持されているところの収集部材１０８の斜視図である。幾つかの実施形態では、収集部材１０８は、生検試料１０４の追跡及び更なる処理又は分析を容易にするために生検試料１０４の採取の順を指示する１つ又はそれ以上のラベル１２０を備えていてもよい。様々な実施形態では、ラベル１２０は、テキスト的（例えば、（単数又は複数の）文字及び／又は（単数又は複数の）数字）、グラフィック的（例えば矢印）、又は１つ又はそれ以上のテキスト文字と１つ又はそれ以上のグラフィックの組合せであってもよい。
【０１６３】
[0311]図２１Ａ−図２１Ｄは、生検鉗子装置１０６から生検試料１０４を収集するための別の方法の一連の段階を図画的に説明する斜視図である。幾つかの実施形態では、収集部材１０８は、必ずしも第１ジョー１０と第２ジョー１２の間に受け入れられなくてはならないということ無しに、生検試料１０４に接触するように構成されることができる。例えば、収集部材１０８の接着性部分１１０は、第１ジョー１０及び第２ジョー１２から張り出している生検試料１０４の部分に接触するようになっていてもよい。例えば、収集部材１０８の接触性部分１１０は、第１ジョー１０の面５４と第２ジョー１２の面５６の間から張り出している生検試料１０４の部分に接触することができる。例えば、収集部材１０８の接着性部分１１０は、第１ジョー１０に形成されている窓４８Ａ及び／又は第２ジョー１２に形成されている窓５０Ａから張り出している生検試料１０４の部分に接触することができる。
【０１６４】
[0312]収集部材１０８の接触性部分１１０は、例えば生検鉗子装置１０６のわきに設置されて、生検試料１０４の張り出し部分に接触し、それにより生検試料１０４の接着性部分１１０への接着を生じさせるようになっていてもよい。その様な接着の後、第１ジョー１０及び／又は第２ジョー１２が生検試料１０４を解放するように開かれ、収集部材１０８（及び接着性部分１１０）は、生検鉗子装置１０６から生検試料１０４を収集するために生検鉗子装置１０６から退かされる。生検鉗子装置１０６から生検試料１０４を収集するために、代わりに又は加えて、生検鉗子装置１０６が収集部材１０８（及び接着性部分１１０）から退かされてもよいと理解している。収集部材１０８及び生検鉗子装置１０６の互いからの退避は、接着性部分１１０を生検鉗子装置１０６から離れさせること及び／又は生検鉗子装置１０６を接着性部分１１０から離れさせることを含み得る。
【０１６５】
[0313]図２２は、図１６Ａ−図１６Ｃ、図１７Ａ−図１７Ｃ、図１９Ａ−図１９Ｃ、及び図２１Ａ−図２１Ｃの図画的説明による方法２０００の流れ図を示している。方法２０００は、キット１０２を使用して遂行されることができる。方法２０００は、１つ又はそれ以上の生検試料１０４を協働的に採取し保持するように構成されているジョー１０、１２を備える生検鉗子装置１０６から１つ又はそれ以上の生検試料１０４を収集（回収）するのに使用されることができる。方法２０００は、収集部材１０８の接着性部分１１０を生検鉗子装置１０６によって保持されている１つ又はそれ以上の生検試料１０４と接触させる段階（ブロック２００２参照）と、１つ又はそれ以上の生検試料１０４を接着性部分１１０へ接着させる段階（ブロック２００４参照）と、生検鉗子装置１０６から収集部材１０８の接着性部分１１０へ接着させた１つ又はそれ以上の生検試料１０４を収集する段階（ブロック２００６参照）と、を備えることができる。
【０１６６】
[0314]幾つかの実施形態では、収集部材１０８の接着性部分１１０を１つ又はそれ以上の生検試料１０４と接触させる段階は、収集部材１０８を生検鉗子装置１０６の第１ジョー１０と第２ジョー１２の間に受け入れる段階を備えていてもよい。相応して、収集部材１０８と生検鉗子装置１０６を互いから退避させる段階は、１つ又はそれ以上の生検試料１０４を生検鉗子装置１０６から収集するように収集部材１０８をジョー１０とジョー１２の間から抜き取る段階を備えていてもよい。
【０１６７】
[0315]生検鉗子装置１０６からの生検試料１０４の収集のための収集部材１０８の使用は、生検鉗子装置１０６のジョー１０、１２に保持される生検試料１０４の列に表された採取の順及び向きを維持することができる。採取の順を維持することは、生検試料１０４を患者の身体内部のそれぞれの採取場所と関連付けられるようにするし、生検試料１０４の分析にとって、また患者の診断及び治療にとって重要であろう。採取の順を維持することもまた、生検試料１０４の分析にとって、また患者の診断及び治療にとって重要であろう。
【０１６８】
[0316]図１６Ｃ、図１７Ｃ、及び図１９Ｃに示されている様に、生検試料１０４の列は、生検試料１０４が採取された順と向きを変えること無しに収集部材１０８側へ移されることができる。生検試料１０４の収集後、収集部材１０８と生検試料１０４は共に、処理及び組織病理学的分析のために、各個の採取の順に位置決めされた試料１０４のクラスターとしてラボへ送られることになる。一部の状況では、収集部材１０８は病理学的処理用カートリッジに嵌め込まれるようになっているか又は当該カートリッジの一部とされていることもあるだろう。収集部材１０８の使用は、一部の状況では、生検鉗子装置１０６のジョー１０及び／又はジョー１２からの生検試料１０４の収集中に生検試料１０４を損傷させるという危険を低減又は排除することができる。
【０１６９】
[0317]幾つかの実施形態では、方法２０００は、１つ又はそれ以上の生検試料１０４を収集部材１０８へ接着させるためにジョー１０とジョー１２の間に収集部材１０８をクランプする段階を備えていてもよい。方法２０００は、更に、収集部材１０８をジョー１０とジョー１２の間から抜き取る段階の前に収集部材１０８をクランプ解除する段階を備えていてもよい。収集部材１０８のジョー１０とジョー１２の間からの抜き取りは手作業で行われてもよい。収集部材１０８のジョー１０とジョー１２の間からの抜き取りは、収集部材１０８を生検試料１０４と共に、開かれたジョー１０、１２から固定液を入れたジャーの中へ振り落すことによって行われてもよいだろう。
【０１７０】
[0318]幾つかの実施形態では、１つ又はそれ以上の生検試料１０４を収集部材１０８へ接着させる段階は、１つ又はそれ以上の生検試料１０４を収集部材１０８へ化学的に結合させる段階を備えていてもよい。
【０１７１】
[0319]幾つかの実施形態では、１つ又はそれ以上の生検試料１０４を収集部材１０８へ接着させる段階は、１つ又はそれ以上の生検試料１０４を収集部材１０８へエポキシを使用して結合させる段階を備えていてもよい。
【０１７２】
[0320]幾つかの実施形態では、１つ又はそれ以上の生検試料１０４を収集部材１０８へ接着させる段階は、１つ又はそれ以上の生検試料１０４を収集部材１０８へ機械的に結合させる段階を備えていてもよい。
【０１７３】
[0321]幾つかの実施形態では、１つ又はそれ以上の生検試料１０４を収集部材１０８へ接着させる段階は、１つ又はそれ以上の生検試料１０４を収集部材１０８へ静電的に結合させる段階を備えていてもよい。
【０１７４】
[0322]幾つかの実施形態では、方法２００は、１つ又はそれ以上の生検試料１０４を収集部材１０８へ凝固（例えば、電気凝固及び／又は熱凝固）結合を使用して結合させる段階を備えていてもよい。
【０１７５】
[0323]幾つかの実施形態では、方法２０００は、１つ又はそれ以上の生検試料１０４を収集部材１０８へ真空源１１４を使用して結合させる段階を備えていてもよい。
[0324]幾つかの実施形態では、方法２０００は、１つ又はそれ以上の生検試料１０４を収集部材１０８へ２つ又はそれ以上の結合手法を使用して結合させる段階を備えていてもよい。幾つかの実施形態では、方法２０００は、１つ又はそれ以上の生検試料１０４を収集部材１０８へここに開示されている２つ又はそれ以上の結合手法を使用して結合させる段階を備えていてもよい。
【０１７６】
[0325]以上の記述はもっぱら例示とされることを意図しており、記載の実施形態には、開示されている発明の範囲から逸脱することなく変更がなされ得ることが当業者には認識されるだろう。本開示は、特許請求の範囲の主題から逸脱することなく他の特定の形態に具現化されることもできる。本開示は全ての適切な技術的変更を網羅し及び包含することを意図する。当業者には、この開示の考察に照らし、本発明の範囲に入る修正が自明であるだろうし、その様な修正は付随の特許請求の範囲に含まれるものとする。また、特許請求の範囲による範囲は、実施例に示されている好適な実施形態によって限定されてはならず、全体としての記述と矛盾しない最も広範な解釈を与えられるべきである。
【符号の説明】
【０１７７】
１０  第１ジョー
１２  第２ジョー
１３  シャフト
１４  共通のピボット部材
１６、１８  孔
２０、２２  アーム
２４  平坦部材
２６  平坦部材のスロット
２８  作動ワイヤ
３０、３２  作動点
３４  可撓性シース
３８  スリーブ
４０  スリーブの開口
４２  スリーブの付勢面
４４、４６  ジョーの半径方向外側面
４４Ａ  移行面部分
４４Ｂ  半径方向により狭い近位部分
４４Ｃ  半径方向により広い遠位部分
４８、５０  ジョーの内側面
４８Ａ、５０Ａ  窓
５２  試料保持体積
５４  第１ジョーの面
５６  第２ジョーの面
５８  スリーブのスロット
６０  ショルダ
６２  平坦部材の孔
６４  スリーブのスロット
６６  ピン
６８、７０  アームのスロット
７１  ワッシャ
７２、７４  アームの面
７３  リンク
７５  スリーブのスロット
７６、７８  ジョーの揺動面
８０  単一で共通の案内ピン
８０Ａ  案内ピンの長手方向軸
８２  案内インサート
８４  弾性機構
８６  カットアウト
８８  ストッパ
９０  案内インサートの面
１００、２００、３００、４００、５００、６００、７００、８００、９００、１０００、１１００、１２００  生検ジョー組立体
１０２  キット
１０４  生検試料
１０６  生検鉗子装置
１０８  収集部材
１１０  接着性部分
１１２  カットアウト
１１４  真空源
１１６  案内
１１８  案内の開口部
１２０  ラベル
１３００  エンドエフェクタジョー組立体
Ａ、Ｂ、Ｄ  ジョー組立体の各部寸法
θ  ジョーの開角度
Ｆｃ  総クランプ力
Ｆｃ１  第１ジョーのクランプ力
Ｆｃ２  第２ジョーのクランプ力
ＦＡ  ジョーを閉じるための作動ワイヤへ加えられる総力
ＦＡ１  第１ジョーへ連結されている作動ワイヤへ加えられる力
ＦＡ２  第２ジョーへ連結されている作動ワイヤへ加えられる力
Ｆ  案内インサートの挿入され押される方向
Ｌ  ジョー組立体の長手方向軸
Ｐ  共通のピボット軸
Ｒ  力の印加される方向
Ｗ１  スリーブのシャフトへの溶接場所
Ｗ２  平坦部材のスリーブへの溶接場所
Ｗ３  案内ピンのスリーブへの溶接場所
【図１Ａ】
2020508825.tif 000003
【図１Ｂ】
2020508825.tif 000004
【図１Ｃ】
2020508825.tif 000005
【図１Ｄ】
2020508825.tif 000006
【図１Ｅ】
2020508825.tif 000007
【図１Ｆ】
2020508825.tif 000008
【図１Ｇ】
2020508825.tif 000009
【図２Ａ】
2020508825.tif 000010
【図２Ｂ】
2020508825.tif 000011
【図２Ｃ】
2020508825.tif 000012
【図３Ａ】
2020508825.tif 000013
【図３Ｂ】
2020508825.tif 000014
【図３Ｃ】
2020508825.tif 000015
【図４Ａ】
2020508825.tif 000016
【図４Ｂ】
2020508825.tif 000017
【図４Ｃ】
2020508825.tif 000018
【図４Ｄ】
2020508825.tif 000019
【図４Ｅ】
2020508825.tif 000020
【図４Ｆ】
2020508825.tif 000021
【図４Ｇ】
2020508825.tif 000022
【図５Ａ】
2020508825.tif 000023
【図５Ｂ】
2020508825.tif 000024
【図５Ｃ】
2020508825.tif 000025
【図５Ｄ】
2020508825.tif 000026
【図５Ｅ】
2020508825.tif 000027
【図５Ｆ】
2020508825.tif 000028
【図５Ｇ】
2020508825.tif 000029
【図６Ａ】
2020508825.tif 000030
【図６Ｂ】
2020508825.tif 000031
【図６Ｃ】
2020508825.tif 000032
【図６Ｄ】
2020508825.tif 000033
【図６Ｅ】
2020508825.tif 000034
【図６Ｆ】
2020508825.tif 000035
【図６Ｇ】
2020508825.tif 000036
【図７Ａ】
2020508825.tif 000037
【図７Ｂ】
2020508825.tif 000038
【図７Ｃ】
2020508825.tif 000039
【図７Ｄ】
2020508825.tif 000040
【図７Ｅ】
2020508825.tif 000041
【図７Ｆ】
2020508825.tif 000042
【図７Ｇ】
2020508825.tif 000043
【図８Ａ】
2020508825.tif 000044
【図８Ｂ】
2020508825.tif 000045
【図８Ｃ】
2020508825.tif 000046
【図８Ｄ】
2020508825.tif 000047
【図８Ｅ】
2020508825.tif 000048
【図８Ｆ】
2020508825.tif 000049
【図８Ｇ】
2020508825.tif 000050
【図９Ａ】
2020508825.tif 000051
【図９Ｂ】
2020508825.tif 000052
【図９Ｃ】
2020508825.tif 000053
【図９Ｄ】
2020508825.tif 000054
【図９Ｅ】
2020508825.tif 000055
【図９Ｆ】
2020508825.tif 000056
【図１０Ａ】
2020508825.tif 000057
【図１０Ｂ】
2020508825.tif 000058
【図１０Ｃ】
2020508825.tif 000059
【図１０Ｄ】
2020508825.tif 000060
【図１０Ｅ】
2020508825.tif 000061
【図１０Ｆ】
2020508825.tif 000062
【図１０Ｇ】
2020508825.tif 000063
【図１１Ａ】
2020508825.tif 000064
【図１１Ｂ】
2020508825.tif 000065
【図１１Ｃ】
2020508825.tif 000066
【図１１Ｄ】
2020508825.tif 000067
【図１１Ｅ】
2020508825.tif 000068
【図１１Ｆ】
2020508825.tif 000069
【図１１Ｇ】
2020508825.tif 000070
【図１２Ａ】
2020508825.tif 000071
【図１２Ｂ】
2020508825.tif 000072
【図１２Ｃ】
2020508825.tif 000073
【図１２Ｄ】
2020508825.tif 000074
【図１２Ｅ】
2020508825.tif 000075
【図１２Ｆ】
2020508825.tif 000076
【図１２Ｇ】
2020508825.tif 000077
【図１２Ｈ】
2020508825.tif 000078
【図１２Ｉ】
2020508825.tif 000079
【図１２Ｊ】
2020508825.tif 000080
【図１３Ａ】
2020508825.tif 000081
【図１３Ｂ】
2020508825.tif 000082
【図１３Ｃ】
2020508825.tif 000083
【図１３Ｄ】
2020508825.tif 000084
【図１４Ａ】
2020508825.tif 000085
【図１４Ｂ】
2020508825.tif 000086
【図１５Ａ】
2020508825.tif 000087
【図１５Ｂ】
2020508825.tif 000088
【図１６Ａ】
2020508825.tif 000089
【図１６Ｂ】
2020508825.tif 000090
【図１６Ｃ】
2020508825.tif 000091
【図１７Ａ】
2020508825.tif 000092
【図１７Ｂ】
2020508825.tif 000093
【図１７Ｃ】
2020508825.tif 000094
【図１８Ａ】
2020508825.tif 000095
【図１８Ｂ】
2020508825.tif 000096
【図１９Ａ】
2020508825.tif 000097
【図１９Ｂ】
2020508825.tif 000098
【図１９Ｃ】
2020508825.tif 000099
【図２０】
2020508825.tif 000100
【図２１Ａ】
2020508825.tif 000101
【図２１Ｂ】
2020508825.tif 000102
【図２１Ｃ】
2020508825.tif 000103
【図２１Ｄ】
2020508825.tif 000104
【図２２】
2020508825.tif 000105
【国際調査報告】
2020508825.tif 000106
2020508825.tif 000107
2020508825.tif 000108